(57)【特許請求の範囲】
【請求項１】
光透過性記録体を、屈折率変化もしくは消光係数変化の少なくとも一方、あるいは光透過率変化もしくは反射率変化の少なくとも一方による情報の記録領域とし、
上記情報が、多値の屈折率変化もしくは多値の消光係数変化の少なくともいずれか、あるいは多値の光透過率変化もしくは多値の反射率変化の少なくともいずれかによる情報であることを特徴とする記録媒体。
【請求項２】
少なくとも光透過性基板あるいは光透過性保護膜を有し、情報Ａの記録領域を有する記録媒体であって、
上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とし、
上記情報Ｂが、多値の屈折率変化もしくは多値の消光係数変化の少なくともいずれか、あるいは多値の光透過率変化もしくは多値の反射率変化の少なくともいずれかによる情報であることを特徴とする記録媒体。
【請求項３】
光透過性記録体を、屈折率変化もしくは消光係数変化の少なくとも一方、あるいは光透過率変化もしくは反射率変化の少なくとも一方による情報の記録領域とし、
上記情報が、多値の連続的屈折率変化もしくは多値の連続的消光係数変化、あるいは多値の連続的光透過率変化もしくは多値の連続的反射率変化による記録情報であることを特徴とする記録媒体。
【請求項４】
少なくとも光透過性基板あるいは光透過性保護膜を有し、情報Ａの記録領域を有する記録媒体であって、
上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とし、
上記情報Ｂが、多値の連続的屈折率変化もしくは多値の連続的消光係数変化の少なくともいずれか、あるいは多値の連続的光透過率変化もしくは多値の連続的反射率変化の少なくともいずれかによる記録情報であることを特徴とする記録媒体。
【請求項５】
光透過性記録体を、屈折率変化もしくは消光係数変化の少なくとも一方、あるいは光透過率変化もしくは反射率変化の少なくとも一方による情報の記録領域とし、
上記情報が、紫外線照射時間、紫外線照射強度、紫外線照射光量の少なくとも一つの変化により記録された多値の屈折率変化もしくは多値の消光係数変化の少なくともいずれか、あるいは多値の光透過率変化もしくは多値の反射率変化の少なくともいずれかによる情報であることを特徴とする記録媒体。
【請求項６】
少なくとも光透過性基板あるいは光透過性保護膜を有し、情報Ａの記録領域を有する記録媒体であって、
上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とし、
上記情報Ｂが、紫外線照射時間、紫外線照射強度、紫外線照射光量の少なくとも一つの変化により記録された多値の屈折率変化もしくは多値の消光係数変化の少なくともいずれか、あるいは多値の光透過率変化もしくは多値の反射率変化の少なくともいずれかによる情報であることを特徴とする記録媒体。
【請求項７】
光透過性記録体を、屈折率変化もしくは消光係数変化の少なくとも一方、あるいは光透過率変化もしくは反射率変化の少なくとも一方による情報の記録領域とし、
上記情報が、紫外線照射時間、紫外線照射強度、紫外線照射光量の少なくとも一つの変化により記録された多値の連続的屈折率変化もしくは多値の連続的消光係数変化、あるいは多値の連続的光透過率変化もしくは多値の連続的反射率変化による記録情報であることを特徴とする記録媒体。
【請求項８】
少なくとも光透過性基板あるいは光透過性保護膜を有し、情報Ａの記録領域を有する記録媒体であって、
上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とし、
上記情報Ｂが、紫外線照射時間、紫外線照射強度、紫外線照射光量の少なくとも一つの変化により記録された多値の連続的屈折率変化もしくは多値の連続的消光係数変化、あるいは多値の連続的光透過率変化もしくは多値の連続的反射率変化による記録情報であることを特徴とする記録媒体。
【請求項９】
光透過性記録体を、屈折率変化もしくは消光係数変化の少なくとも一方、あるいは光透過率変化もしくは反射率変化の少なくとも一方による情報の記録領域とする記録媒体に対する記録再生方法であって、
上記情報の記録、再生の少なくともいずれかを、光照射によって行い、
上記情報を、紫外線照射時間、紫外線照射強度、紫外線照射光量の少なくとも一つの変化により、多値の屈折率変化もしくは多値の消光係数変化の少なくともいずれか、あるいは多値の光透過率変化もしくは多値の反射率変化の少なくともいずれかによる情報として記録することを特徴とする記録再生方法。
【請求項１０】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体に対する記録再生方法であって、
上記情報Ｂの記録、再生の少なくともいずれかを、光照射によって行い、
上記情報Ｂの記録を、紫外線照射時間、紫外線照射強度、紫外線照射光量の少なくとも一つの変化により、多値の屈折率変化もしくは多値の消光係数変化の少なくともいずれか、あるいは多値の光透過率変化もしくは多値の反射率変化の少なくともいずれかによる情報として記録することを特徴とする記録再生方法。
【請求項１１】
光透過性記録体を、屈折率変化もしくは消光係数変化の少なくとも一方、あるいは光透過率変化もしくは反射率変化の少なくとも一方による情報の記録領域とする記録媒体に対する記録再生方法であって、
上記情報の記録、再生の少なくともいずれかを、光照射によって行い、
多値の屈折率変化もしくは多値の消光係数変化の少なくともいずれか、あるいは多値の光透過率変化もしくは多値の反射率変化の少なくともいずれかによる上記情報に対する再生を、
上記記録媒体に照射する再生光の多値の透過光量変化もしくは多値の反射光量変化として検出することを特徴とする記録再生方法。
【請求項１２】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体に対する記録再生方法であって、
上記情報Ｂの記録、再生の少なくともいずれかを、光照射によって行い、
多値の屈折率変化もしくは多値の消光係数変化の少なくともいずれかによる情報Ｂに対する再生を、
上記記録媒体に照射する再生光の多値の透過光量変化もしくは多値の反射光量変化として検出することを特徴とする記録再生方法。
【請求項１３】
光透過性記録体を、屈折率変化もしくは消光係数変化の少なくとも一方、あるいは光透過率変化もしくは反射率変化の少なくとも一方による情報の記録領域とする記録媒体に対する記録再生方法であって、
上記情報の記録、再生の少なくともいずれかを、光照射によって行い、
上記記録媒体の上記情報を、紫外線照射時間、紫外線照射強度、紫外線照射光量の少なくとも一つの変化により、連続した多値の屈折率変化もしくは連続した多値の消光係数変化の少なくともいずれか、あるいは連続した多値の光透過率変化もしくは連続した多値の反射率変化の少なくともいずれかによる情報として記録することを特徴とする記録再生方法。
【請求項１４】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体に対する記録再生方法であって、
上記情報Ｂの記録、再生の少なくともいずれかを、光照射によって行い、
上記情報Ｂの記録を、紫外線照射時間、紫外線照射強度、紫外線照射光量の少なくとも一つの変化により、連続した多値の屈折率変化もしくは連続した多値の消光係数変化の少なくともいずれか、あるいは連続した多値の光透過率変化もしくは連続した多値の反射率変化の少なくともいずれかによる情報として記録することを特徴とする記録再生方法。
【請求項１５】
光透過性記録体を、屈折率変化もしくは消光係数変化の少なくとも一方、あるいは光透過率変化もしくは反射率変化の少なくとも一方による情報の記録領域とする記録媒体に対する記録再生方法であって、
上記情報の記録、再生の少なくともいずれかを、光照射によって行い、
連続した多値の屈折率変化もしくは連続した多値の消光係数変化の少なくともいずれか、あるいは連続した多値の光透過率変化もしくは連続した多値の反射率変化の少なくともいずれかによる情報に対する再生を、
上記記録媒体に照射する再生光の連続した多値の透過光量変化もしくは連続した多値の反射光量変化として検出することを特徴とする記録再生方法。
【請求項１６】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体に対する記録再生方法であって、
上記情報Ｂの記録、再生の少なくともいずれかを、光照射によって行い、
連続した多値の屈折率変化もしくは連続した多値の消光係数変化の少なくともいずれか、あるいは連続した多値の光透過率変化もしくは連続した多値の反射率変化の少なくともいずれかによる情報Ｂに対する再生を、
上記記録媒体に照射する再生光の連続した多値の透過光量変化もしくは連続した多値の反射光量変化として検出することを特徴とする記録再生方法。
【請求項１７】
光透過性記録体を、屈折率変化もしくは消光係数変化の少なくとも一方、あるいは光透過率変化もしくは反射率変化の少なくとも一方による情報の記録領域とする記録媒体を用い、
上記情報の記録、再生の少なくともいずれかを行う光照射手段を具備し、
上記光照射手段が、一部もしくは全部の情報記録を、紫外線照射時間、紫外線照射強度、紫外線照射光量の少なくとも一つの変化により、多値の屈折率変化もしくは多値の消光係数変化の少なくともいずれか、あるいは多値の光透過率変化もしくは多値の反射率変化の少なくともいずれかによる情報として記録することを特徴とする記録再生装置。
【請求項１８】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体を用い、
少なくとも上記情報Ｂの、記録あるいは再生の少なくともいずれかを行う光照射手段を具備し、
上記光照射手段が、一部もしくは全部の情報記録を、紫外線照射時間、紫外線照射強度、紫外線照射光量の少なくとも一つの変化により、多値の屈折率変化もしくは多値の消光係数変化の少なくともいずれか、あるいは多値の光透過率変化もしくは多値の反射率変化の少なくともいずれかによる情報として記録することを特徴とする記録再生装置。
【請求項１９】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体を用い、
少なくとも上記情報Ｂの、記録あるいは再生の少なくともいずれかを行う光照射手段を具備し、
情報Ａを、波長λｒａの光照射によって記録し、再生を波長λｐａの光照射によって再生し、上記情報Ｂを、波長λｒｂの光照射によって記録し、波長λｐｂの光照射によって再生する記録再生手段を有し、
上記λｒａ，λｐａ，λｒｂ，λｐｂが、λｒａ＝λｐａ，λｒａ≠λｐａ，λｒｂ＝λｐｂ，λｒｂ≠λｐｂ，λｒａ＝λｒｂ，λｒａ≠λｒｂ，λｐａ＝λｐｂ，λｐａ≠λｐｂ、λｒａ＝λｐｂ，λｒａ≠λｐｂ，λｐａ＝λｒｂ，λｐａ≠λｒｂのいずれか１つ以上の関係に選定し、
３００ｎｍ≦λｒａ，λｐａ≦９００ｎｍとするか、あるいはこれと同時に１００ｎｍ≦λｒｂ，λｐｂ≦５００ｎｍとしたことを特徴とする記録再生装置。
【請求項２０】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体を用い、
少なくとも上記情報Ｂの、記録あるいは再生の少なくともいずれかを行う光照射手段を具備し、
情報Ａを波長λｐａの光照射によって再生するか、光照射によらない情報Ａの再生とし、情報Ｂの記録を波長λｒｂの光照射によって記録し、波長λｐｂの光照射によって再生する記録再生手段を有し、
上記λｐａ，λｒｂ，λｐｂが、λｒｂ＝λｐｂ，λｒｂ≠λｐｂ，λｐａ＝λｐｂ，λｐａ≠λｐｂ，λｐａ＝λｒｂ，λｐａ≠λｒｂのいずれか１つ以上の関係を有し、
３００ｎｍ≦λｒａ，λｐａ≦９００ｎｍとするか、あるいはこれと同時に１００ｎｍ≦λｒｂ，λｐｂ≦５００ｎｍとしたことを特徴とする記録再生装置。
【請求項２１】
光透過性記録体を、屈折率変化もしくは消光係数変化の少なくとも一方、あるいは光透過率変化もしくは反射率変化の少なくとも一方による情報の記録領域とする記録媒体を用い、
上記情報の記録、再生の少なくともいずれかを行う光照射手段を具備し、
上記光照射手段が、一部もしくは全部の情報記録を、紫外線照射時間、紫外線照射強度、紫外線照射光量の少なくとも一つの変化により、連続多値の屈折率変化もしくは連続多値の消光係数変化の少なくともいずれか、あるいは、連続多値の光透過率変化もしくは連続多値の反射率変化の少なくともいずれかによる情報として記録することを特徴とする記録再生装置。
【請求項２２】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体を用い、
少なくとも上記情報Ｂの、記録あるいは再生の少なくともいずれかを行う光照射手段を具備し、
上記光照射手段が、一部もしくは全部の情報記録を、紫外線照射時間、紫外線照射強度、紫外線照射光量の少なくとも一つの変化により、連続多値の屈折率変化もしくは連続多値の消光係数変化の少なくともいずれか、あるいは連続多値の光透過率変化もしくは連続多値の反射率変化の少なくともいずれかによる情報として記録することを特徴とする記録再生装置。
【請求項２３】
光透過性記録体を、屈折率変化もしくは消光係数変化の少なくとも一方、あるいは光透過率変化もしくは反射率変化の少なくとも一方による情報の記録領域とする記録媒体を用い、
上記情報の記録、再生の少なくともいずれかを行う光照射手段を具備し、
上記光照射手段が、一部もしくは全部の情報記録を、紫外線照射時間、紫外線照射強度、紫外線照射光量の少なくとも一つの変化により、多値の屈折率変化もしくは多値の消光係数変化の少なくともいずれか、あるいは多値の光透過率変化もしくは多値の反射率変化の少なくともいずれかによる情報として記録し、
該多値の記録情報を照射する再生光の多値の透過光量変化もしくは多値の反射光量変化として検出することを特徴とする記録再生装置。
【請求項２４】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体を用い、
少なくとも上記情報Ｂの、記録あるいは再生の少なくともいずれかを行う光照射手段を具備し、
上記光照射手段が、一部もしくは全部の情報記録を、紫外線照射時間、紫外線照射強度、紫外線照射光量の少なくとも一つの変化により、多値の屈折率変化もしくは多値の消光係数変化の少なくともいずれか、あるいは多値の光透過率変化もしくは多値の反射率変化の少なくともいずれかによる情報として記録し、
該多値の記録情報を照射する再生光の多値の透過光量変化もしくは多値の反射光量変化として検出することを特徴とする記録再生装置。
【請求項２５】
光透過性記録体を、屈折率変化もしくは消光係数変化の少なくとも一方、あるいは光透過率変化もしくは反射率変化の少なくとも一方による情報の記録領域とする記録媒体を用い、
上記情報の記録、再生の少なくともいずれかを行う光照射手段を具備し、
上記光照射手段が、一部もしくは全部の情報記録を、紫外線照射時間、紫外線照射強度、紫外線照射光量の少なくとも一つの変化により、連続多値の屈折率変化もしくは連続多値の消光係数変化の少なくともいずれか、あるいは連続多値の光透過率変化もしくは連続多値の反射率変化の少なくともいずれかによる情報として記録し、
該多値の記録情報を照射する再生光の連続した多値の透過光量変化もしくは連続した多値の反射光量変化として検出することを特徴とする記録再生装置。
【請求項２６】
少なくとも光透過性基板あるいは光透過性保護膜を有し、情報Ａの記録領域を有する記録媒体であり、上記光透過性基板あるいは光透過性保護膜の少なくとも一方を、屈折率変化もしくは消光係数変化の少なくとも一方、あるいは光透過率変化もしくは反射率変化の少なくとも一方による情報Ｂの記録領域とする記録媒体を用い、
少なくとも上記情報Ｂの、記録あるいは再生の少なくともいずれかを行う光照射手段を具備し、
上記光照射手段が、一部もしくは全部の情報記録を、紫外線照射時間、紫外線照射強度、紫外線照射光量の少なくとも一つの変化により、連続多値の屈折率変化もしくは連続多値の消光係数変化の少なくともいずれか、あるいは連続多値の光透過率変化もしくは連続多値の反射率変化の少なくともいずれかによる情報として記録し、
該多値の記録情報を照射する再生光の連続した多値の透過光量変化もしくは連続した多値の反射光量変化として検出することを特徴とする記録再生装置。
【発明の詳細な説明】
【０００１】
【発明の属する技術分野】
本発明は、記録媒体、記録再生方法（本明細書において記録再生方法とは、記録方法あるいは再生方法の一方または双方を総称するものとする）、および記録再生装置（本明細書において記録再生装置とは、記録装置あるいは再生装置の一方または双方の機能を具備する装置を総称するものとする）に関するものである。
【０００２】
【従来の技術】
書き換え可能な高密度光記録方式として、レーザの熱エネルギーを用いて、磁性薄膜を部分的にキュリー温度または補償温度を超えて昇温し、この部分の保磁力を減少もしくは消滅させて外部から印加される記録磁界の方向に磁化の向きを反転させることを基本原理とする光磁気記録再生方式がある。
また、書き換え可能な高密度光記録方式として、レーザの熱エネルギーを用いて、相変化薄膜を部分的に結晶化温度を超えて昇温し、この部分を結晶化させることを基本原理とする相変化記録再生方式がある。
更に、書き換え可能な磁気記録方式として、磁気ヘッドからの磁気エネルギーを用いて磁性薄膜を部分的に磁化反転させることを基本原理とする磁気記録再生方式がある。
また、書き換え可能な高密度光記録方式として、レーザの熱エネルギーを用いて、色素薄膜を部分的に昇温し、この部分を蒸発もしくは、変形させることを基本原理とする色素記録再生方式がある。
【０００３】
また、高密度光記録方式として、レーザを用いて、記録媒体上の記録ピットの有無を反射もしくは透過で検出する再生方式がある。
【０００４】
ところで、近年のパソコンやインターネット、携帯電話の普及により、急速に記録情報量の増大と、その膨大な情報の流通、配信が急速に進んでいる。
また膨大な情報の流通、配信に伴って、電話線を使った情報通信に限らず、衛星を通じた情報通信や、専用線を使った情報通信なども次々に実用化されている。
これら急速な記録情報量の増大に伴って、一般消費者がこれらの情報を記録、再生するために、書き換え可能な記録媒体に限らず、再生専用のオーディオディスクや、ビデオディスクや、ハードディスクなどの大容量記録媒体が次々と実用化されている。
【０００５】
【発明が解決しようとする課題】
しかしながら、一方で、容易かつ、低コストに大容量の記録情報が簡単に扱えるため、情報の記録、蓄積、再生、流通、配信などに関する安全性を確保する技術がますます重要になって来ている。
【０００６】
特に、大容量記録媒体は、比較的容易、かつ、低コストで媒体の作製が可能であるため、記録媒体そのものや、媒体に記録された一部もしくは全ての記録情報の複製、模倣、偽造，流失など不正に悪用された記録媒体が作製される危険性を大きく有している。
【０００７】
大量の音楽、映像、プログラム、データなどが記録媒体に微細な凹凸によるピットマークにより記録されている光記録媒体、例えば、コンパクトディスク（ＣＤ）や、デジタルビデオディスク（ＤＶＤ）などは、その記録媒体を分解、もしくは分離することにより、物理的に記録媒体の複製、模倣、偽造などを行い、これを不正に使用することが行われている。
【０００８】
したがって、大容量の記録媒体に記録した情報の不正に悪用された複製、模倣、偽造，流失を防ぐため、記録媒体、あるいはその記録再生方法、またはその記録再生装置の安全性やセキュリティ機能を強化する必要がある。
これまでにおいても、記録媒体もしくは、記録再生方法もしくは、記録再生装置による安全性、セキュリティ機能の強化が図られてきた。
【０００９】
例えば、特開平１１−７８３１４号公報には、記録媒体上に真偽判定用の情報を印刷し、この真偽判定用の印刷情報に基づいて記録媒体の真偽を判定することについての記載がある。
【００１０】
また、例えば、特開平１１−６６６１６号公報には、基板上に紫外線発光蛍光体層、および特定の蛍光遮断層を有する積層体を設けることにより、紫外線下で蛍光を発し、肉眼で記録情報を読み取ることを可能とする記録媒体についての記載がある。
【００１１】
しかし、これら記録媒体は、その記録媒体、もしくは基板上に真偽判別のために別途、材料の選定、膜の成膜、印刷を行う必要があり、記録媒体作製の工程が複雑になるとか、記録媒体の製造価格が高くなるなどの問題点がある。
【００１２】
また、例えば、特開平１１−８６３４９号公報、特開平１１−１６２０１５号公報には、記録層上に伸び率が大きい樹脂で形成された剥離防止層を形成し、その上に伸び率が小さい樹脂で形成された保護層を設けることにより、先に述べた記録媒体の分解、もしくは分離により、物理的な記録媒体の複製を防止している。
【００１３】
しかし、これら記録媒体は、分解、もしくは分離を防止するために、別途、材料の選定、膜の成膜を行う必要があり、記録媒体作製の工程が複雑になり、記録媒体の製造価格が高くなるなどの問題点がある。
【００１４】
また、例えば、特開平８−１２４２１９号公報には、光透過性基板の射出成形時に形成したピットにレーザ光を照射し、ピットにリムを設け、これを記録媒体の真偽情報として利用する記録媒体についての記載がある。
【００１５】
また、例えば、特開平１１−１２０６３３号公報、特開平１１−１６２０２６号公報、特開２０００−８２２３９号公報には、貼り合わせ記録媒体の接着層に選択的にこれを硬化させる電磁放射線を照射し、部分的に接着層に硬化度合いの異なる領域を生じさせ、これにより接着層に面している反射層に部分的応力を起こし、反射層が本来あった場所から変形する事により、記録媒体の真偽情報を設けている。
【００１６】
しかし、これら記録媒体は、記録媒体上の記録ピット、もしくは記録ピットに面した反射層などを直接変形させるもので、特にレーザ光などにより記録再生を行う光記録媒体の場合には、そのサーボ信号、記録信号に悪影響を与えてしまうなどの問題点があった。
【００１７】
また、例えば、特開平９−３０５６９７号公報、特開平１１−１０１６９０号公報には、記録媒体の透過光、もしくは反射光のスペクトル情報を記録媒体の真偽情報として利用する方法についての記載がある。
【００１８】
しかし、これら記録媒体は、その記録媒体の真偽判別のために複数の波長による再生を行う必要があり、再生装置が複雑になる。また、再生装置の価格が高くなるなどの問題点がある。
【００１９】
また、例えば、特開平１１−７３６８７号公報には、記録媒体上の有機化合物の透過率、もしくは反射率を記録媒体の真偽情報として利用する方法の記載がある。
【００２０】
しかし、これら記録媒体は、その記録媒体の真偽判別のために別途、材料の選定、膜の成膜を行う必要があり、記録媒体作製の工程が複雑になり、記録媒体の製造価格が高くなるなどの問題点がある。
【００２１】
また、例えば、特開平１１−１５４３５３号公報には、記録媒体基板の透過率値、もしくは反射率値を記録媒体の真偽情報として利用する方法が開示されている。
【００２２】
しかし、これら記録媒体は、その記録媒体の基板の２つの波長による少なくとも一方の透過率の値そのもの、もしくは反射率の値そのものが、所定値と同じかどうかで、記録媒体の真偽を判断するため、記録媒体を偽造しようとする第三者によって、簡便にその記録媒体の基板の透過率、もしくは反射率の測定が行われ、情報の安全性、セキュリティ機能が低いと言わざるを得ない。
また、基板の透過率に波長依存性をもたせるために、透明基板材料である樹脂中に色素、染料、顔料を添加するなどして、基板を射出成形するため、射出成形装置がこれら色素、染料、顔料により汚染されてしまうなどの問題がある。
【００２３】
また、例えば、特開平６−２３１２１５公報には、紫外線レーザによる記録媒体への直接の凹凸マークの記録を行い、これを記録媒体の真偽情報として利用する方法についての記載がある。
【００２４】
しかし、この記録媒体への凹凸マークの直接形成は、紫外線レーザ照射による樹脂材料の変形、蒸発などのいわゆるレーザアブレーションによる形状変化であるため、蒸発した樹脂が記録媒体上のピットマークや案内溝に飛び散り、特にレーザ光などにより記録再生を行う光記録媒体の場合には、そのサーボ信号、記録信号に悪影響を与えてしまうなどの問題点があった。
またこの記録方法は、記録媒体に物理的に凹凸マークを記録するために、これを偽造しようとする第３者によって、その記録媒体を分解、もしくは分離することにより、物理的に記録媒体の複製、模倣、偽造などを行い、これを不正に使用されてしまうという問題がある。
【００２５】
本発明は、上述した状況を鑑みて提案されたものであって、記録媒体の記録再生において、記録媒体、もしくは記録情報に複製、模倣、偽造がきわめて困難な固有の識別情報を付加することを可能とする記録媒体、記録方法、再生方法、記録もしくは／および再生装置の実現化を図るものである。
【００２６】
すなわち、本発明者は、この実現化のために、種々の実験、考察、検討を重ねた結果、記録媒体の光透過性基板自体の屈折率の変化もしくは消光係数の変化、ないしは光透過率の変化もしくは反射率の変化を情報とすること、あるいは、記録媒体の光透過性保護膜自体の屈折率の変化もしくは消光係数の変化、ないしは光透過率の変化もしくは反射率の変化を情報とすることにより、記録媒体や、記録情報の複製、模倣、偽造がきわめて困難な固有な識別情報を付加することができる記録媒体、記録再生方法、記録再生装置の実現を見出し、これらを提供するものである。
【００２７】
【課題を解決するための手段】
本発明による記録媒体は、光透過性記録体を、屈折率変化あるいは消光係数変化の少なくとも一方による情報、ないしは光透過率変化あるいは反射率変化の少なくとも一方による情報の記録領域とする構成とする。上記情報は、多値の屈折率変化もしくは多値の消光係数変化の少なくともいずれかによる情報、ないしは多値の光透過率変化もしくは多値の反射率変化の少なくともいずれかの情報とすることができる。また、上記情報は、多値の連続的屈折率変化もしくは多値の連続的消光係数変化の少なくともいずれかによる情報、ないしは多値の連続的光透過率変化もしくは多値の連続的反射率変化の少なくともいずれかの情報とすることができる。
【００２８】
また、本発明による記録媒体は、少なくとも光透過性基板あるいは光透過性保護膜を有し、情報Ａの記録領域を有する記録媒体であり、光透過性基板あるいは光透過性保護膜の少なくとも一方を、屈折率変化あるいは消光係数変化の少なくとも一方による情報Ｂ、ないしは光透過率もしくは反射率の少なくとも一方による情報Ｂの記録領域とするものである。上記情報Ｂは、多値の屈折率変化もしくは多値の消光係数変化の少なくともいずれかによる情報、ないしは多値の光透過率変化もしくは多値の反射率変化の少なくともいずれかの情報とすることができる。また、上記情報Ｂは、多値の連続的屈折率変化もしくは多値の連続的消光係数変化の少なくともいずれかによる情報、ないしは多値の連続的光透過率変化もしくは多値の連続的反射率変化の少なくともいずれかの情報とすることができる。
【００２９】
この本発明による記録再生方法は、記録媒体に対する上述した情報Ｂの光透過性基板あるいは光透過性保護膜への記録方法が、電子線照射あるいは光照射、特に典型的方法としては、紫外光の照射による。
この記録は、光透過性基板あるいは光透過性保護膜の、電子線照射あるいは紫外光の照射による光学定数の変化によるものであり、従来の基板に対する記録におけるレーザアブレーションによる形状変化によるものではない。また、例えば光透過性基板あるいは光透過性保護膜の構成材料に、染料等を混合することによって化学変化の発生によるものとも区別されるものである。
【００３０】
また、この本発明による記録再生方法は、上述した情報Ｂの再生方法、すなわち読み出し方法が、再生光、典型的再生光としては、紫外光を照射し、この再生光の透過光量変化もしくは反射光量変化によって上述した屈折率変化もしくは消光係数変化、ないしは光透過率変化もしくは反射率変化による情報Ｂの再生を行うものである。
【００３１】
更に、本発明による記録再生装置は、上述した本発明による記録媒体に対して、記録光照射あるいは電子線照射を行う照射手段を有するとか、再生光を照射する照射手段と光検出手段とを有し、記録光あるいは電子線照射によって上述したように、記録媒体の光透過性記録体、あるいは記録媒体を構成する光透過性基板あるいは光透過性保護膜に、これに自体の光学定数の変化による情報Ｂの記録を行い、その再生は、再生光照射を行い、その透過光量変化もしくは反射光量変化を光検出手段によって検出することによって情報の再生を行う構成とするものである。
【００３２】
つまり、本発明においては、固有な識別情報を上述した情報Ｂとして付加情報として記録するものであるが、本発明による記録媒体における、情報Ｂは、非可逆で、安定であり、形状変化すなわち物理的な凹凸ピットによる情報の記録方式ではないので、たとえ第三者がこれを偽造しようとして、記録媒体の分離、分解を行おうとしても、物理的にその記録情報を他の記録媒体に複製することは極めて困難である。
【００３３】
【発明の実施の形態】
前述したように、本発明による記録媒体は、光透過性記録体を、屈折率変化あるいは消光係数変化の少なくとも一方による情報、ないしは光透過率変化あるいは反射率変化の少なくとも一方による情報の記録領域とする構成とする。
【００３４】
また、本発明による記録媒体は、少なくとも光透過性基板あるいは光透過性保護膜を有し、情報Ａの記録領域を有する記録媒体であり、その光透過性基板あるいは光透過性保護膜の少なくとも一方を、屈折率変化もしくは消光係数変化、ないしは光透過率変化もしくは反射率変化による情報Ｂの記録領域とするものである。
【００３５】
すなわち、本発明による記録媒体は、例えば固有識別情報や、数字、文字、画像、バーコード等の例えば視覚的に観察可能な情報を含む情報Ｂが記録される記録領域を有する。
【００３６】
また、上述した情報Ａとしては、データ情報、アドレス情報、トラッキング情報、マーク情報等各種の情報の少なくとも１つ以上の情報が記録される。
【００３７】
上述した固有識別情報は、少なくとも記録媒体の管理情報、記録情報の管理情報、記録もしくは／および再生の不可情報、記録媒体の真偽情報、記録もしくは／および再生の回数制限情報、ユーザの認証情報のいずれかを含む情報とすることができる。
尚、情報Ｂに、上述したデータ情報、アドレス情報、トラッキング等の各種情報のいずれか１つ以上を含む情報とすることもでき、また情報ＡおよびＢの組合せによって上述した固有識別情報を記録することもできる。更に、情報Ａとして、情報Ｂの記録に関係する情報、例えば情報Ｂの記録の有無、記録位置、再生パワー等の検出を行うことができる情報を含ませることができる。
【００３８】
本発明による記録媒体の実施形態は、例えば光透過性記録体自体を情報記録とする記録媒体、あるいは少なくとも光透過性基板、あるいは光透過性保護膜を有する多くの記録媒体、例えば光記録媒体、磁気記録媒体、光磁気記録媒体、色素記録媒体、相変化記録媒体構成による例えばＣＤ、ＣＤ−Ｒ、ＤＶＤディスクあるいは、クレジットカード、バンクカード、マネーカード、パスカードなどの形態を採ることができる。
【００３９】
また、本発明による記録媒体は、上述した光透過性記録体自体によって構成し、これに、屈折率変化あるいは消光係数変化の少なくとも一方、ないしは光透過率変化あるいは反射率変化の少なくとも一方による情報、すなわち情報Ｂを記録する。
また、本発明による記録媒体は、例えば光透過性基板、あるいは光透過性保護膜に、上述したピットマーク記録領域に微細凹凸パターンによる情報Ａが形成された記録媒体構成とすることもできるし、この微細凹凸パターン上、もしくはこの微細凹凸パターンの形成されていない光透過性基板上に、光記録層、磁性層、光磁気記録層、色素記録層、相変化記録層が形成され、これに情報Ａの記録がなされる記録媒体構成とすることもできる。
【００４０】
屈折率変化もしくは消光係数変化、ないしは光透過率変化もしくは反射率変化による情報例えば情報Ｂを記録し得る上述の光透過性記録体あるいは光透過性基板は、ポリカーボネート、ポリオレフィン、ポリメチルメタクリレート、エポキシ、アクリルのいずれかの樹脂基板、あるいはガラス基板によることができる。この光透過性基板の厚さは、例えば０．３ｍｍ〜１．２ｍｍ程度に選定することができる。
【００４１】
また、同様に、屈折率変化もしくは消光係数変化、ないしは光透過率変化もしくは反射率変化による情報Ｂを記録し得る光透過性保護膜は、ポリカーボネート、ポリオレフィン、ポリメチルメタクリレート、エポキシ、アクリル、紫外線硬化樹脂、熱硬化樹脂、フォトポリマーのいずれかの樹脂、あるいはガラスによるシートあるいは塗膜によって形成することができる。この光透過性保護膜の厚さは、例えば１μｍ〜０．３ｍｍ程度に選定することができる。
【００４２】
また、情報Ａの、記録および再生を光照射によって行う場合、あるいはその再生を光照射によって行う場合、その情報Ａに関する照射光の記録・再生相互の波長関係、また上述した光透過性記録体、光透過性基板、光透過性保護膜への情報Ｂに関する照射光の相互の波長関係、更に情報Ａと情報Ｂとの記録・再生の照射光相互の波長関係は、異なる波長、あるいは同一波長とする構成とすることができる。
【００４３】
すなわち、情報Ａの記録領域が、情報Ａの記録を波長λｒａの光照射によって記録し、波長λｐａの光照射によって情報Ａの再生がなされる記録領域であり、光透過性基板あるいは光透過性保護膜が、情報Ｂの記録を波長λｒｂの光照射によって記録し、波長λｐｂの光照射によって情報Ｂの再生を行う光透過性基板あるいは光透過性保護膜であるとすると、λｒａ，λｐａ，λｒｂ，λｐｂの各関係を、λｒａ＝λｐａ，λｒａ≠λｐａ，λｒｂ＝λｐｂ，λｒｂ≠λｐｂ，λｒａ＝λｒｂ，λｒａ≠λｒｂ，λｐａ＝λｐｂ，λｐａ≠λｐｂ、λｒａ＝λｐｂ，λｒａ≠λｐｂ，λｐａ＝λｒｂ，λｐａ≠λｒｂのいずれか１つ以上の関係を有する構成とすることができる。
【００４４】
また、情報Ａの記録領域が、波長λｐａの光照射によって情報Ａの再生がなされるか、光照射によらない情報Ａの再生がなされる記録領域である場合は、λｐａ，λｒｂ，λｐｂが、λｒｂ＝λｐｂ，λｒｂ≠λｐｂ，λｐａ＝λｐｂ，λｐａ≠λｐｂ，λｐａ＝λｒｂ，λｐａ≠λｒｂのいずれか１つ以上の関係を有する構成とすることができる。
【００４５】
また、上述した情報Ｂは、多値の屈折率変化もしくは多値の消光係数変化ないしは、多値の光透過率変化もしくは多値の反射率変化による情報とすることができる。
また、上述した情報Ｂが、多値の連続的屈折率変化もしくは多値の連続的消光係数変化ないしは、多値の連続的光透過率変化もしくは多値の連続的反射率変化による情報すなわちアナログ情報とすることができる。
また、上述した多値の透過率変化もしくは、多値の反射率変化による情報Ｂ、あるいは、多値の連続的透過率変化もしくは、多値の連続的反射率変化による情報Ｂは、固有識別情報や、数字、文字、画像、バーコード等の例えば視覚的に観察可能な情報を含む情報とすることが可能である。
尚、情報Ｂを多値記録、もしくは連続多値、すなわちアナログ記録にすることにより、より複雑で、機能的である情報が記録可能であることから、特に固有識別情報などのセキュリティ情報の記録に適する記録媒体として利用することができる。
また、固有識別情報は、少なくとも記録媒体の管理情報、記録情報の管理情報、記録もしくは／および再生の不可情報、記録媒体の真偽情報、記録もしくは／および再生の回数制限情報、ユーザーの認証情報のいずれかを含む情報とすることができる。
尚、情報Ｂに、上述したデータ情報、アドレス情報、トラッキング等の各種情報のいずれか１つ以上を含む情報とすることもでき、また情報ＡおよびＢの組合せによって上述した固有識別情報を記録することができる。更に、情報Ａとして、情報Ｂの記録に関係する情報、例えば情報Ｂの記録の有無、記録位置、再生パワー等の検出を行うことができる情報を含ませることができる。
【００４６】
また、上述した情報Ｂの記録は、電子線照射あるいは光照射によってなされ、その光照射は、紫外線照射によって行うことが望ましい。
情報Ｂの再生は、再生光を照射し、この再生光の透過光量変化もしくは反射光量変化によって行う。
【００４７】
情報Ａおよび情報Ｂの再生は、情報Ｂの再生を行った後、例えばこの再生情報に基いて、情報Ａの記録もしくは／および再生の制御を行うことができる。
【００４８】
また、本発明による記録再生装置は、記録媒体の光透過性基板あるいは光透過性保護膜の少なくとも一方に対して情報Ｂに応じたパターンの紫外光による記録光を照射する光源部を有して成り、この光源部からの記録光によって、光透過性基板や、光透過性保護膜に対する屈折率変化もしくは消光係数変化、ないしは光透過率変化もしくは反射率変化による情報Ｂの記録を行う。
そして、この光源部は、紫外線発光レーザーまたは紫外線発光ランプを有する構成とすることができる。
また、光源部は、紫外線発光ランプと情報Ｂに応じたパターンのフォトマスクとを有する構成とすることもできる。
また、情報Ｂの記録は、多値記録、連続的多値記録によることができる。
【００４９】
また、本発明による記録再生装置は、本発明による記録媒体に対して再生光を照射する光源部と、この再生光の、記録媒体の光透過性基板あるいは光透過性保護膜の透過光量変化もしくは反射光量変化を検出する光検出手段とを有する構成とすることができる。
【００５０】
この再生光は、例えば２００ｎｍ以上５００ｎｍ以下の波長光とすることができる。
また、光検出手段は、固体撮像装置、例えばＣＣＤ（電荷転送素子）カメラあるいはＣＭＯＳ（相補型絶縁ゲート型電界効果トランジスタ）カメラ、あるいはＳｉフォトダイオード等のフォトディテクタによって構成することができる。
【００５１】
また、本発明による記録再生装置は、対物レンズが設けられ、光源部からの紫外線レーザ光を、この対物レンズによって、上述した本発明による記録媒体に集光させて、フォーカスおよびトラッキングサーボ信号を得る構成とすることもできる。
また、本発明による記録再生装置は、情報Ａの記録再生光の光源部と、情報Ｂの記録再生光の光源部とを有し、互いに異なる波長光、あるいは同一波長光とすることができる。
すなわち、前述したように、情報Ａの記録領域が、情報Ａの記録を波長λｒａの光照射によって記録し、波長λｐａの光照射によって情報Ａの再生がなされる記録領域であり、光透過性基板あるいは光透過性保護膜が、情報Ｂの記録を波長λｒｂの光照射によって記録し、波長λｐｂの光照射によって情報Ｂの再生を行う光透過性基板あるいは光透過性保護膜であるとすると、各記録、再生の光源部の各波長λｒａ，λｐａ，λｒｂ，λｐｂの各関係は、λｒａ＝λｐａ，λｒａ≠λｐａ，λｒｂ＝λｐｂ，λｒｂ≠λｐｂ，λｒａ＝λｒｂ，λｒａ≠λｒｂ，λｐａ＝λｐｂ，λｐａ≠λｐｂ、λｒａ＝λｐｂ，λｒａ≠λｐｂ，λｐａ＝λｒｂ，λｐａ≠λｒｂのいずれか１つ以上の関係に選定することができる。
【００５２】
また、情報Ａの記録領域が、波長λｐａの光照射によって情報Ａの再生がなされるか、光照射によらない情報Ａの再生がなされる記録領域である場合は、λｐａ，λｒｂ，λｐｂが、λｒｂ＝λｐｂ，λｒｂ≠λｐｂ，λｐａ＝λｐｂ，λｐａ≠λｐｂ，λｐａ＝λｒｂ，λｐａ≠λｒｂのいずれか１つ以上の関係を有する構成とすることができる。
【００５３】
また、上述した情報Ａの記録領域が、情報Ａの記録を波長λｒａの光照射によって記録し、再生を波長λｐａの光照射によって再生する記録領域とし、光透過性基板あるいは光透過性保護膜が、情報Ｂの記録を波長λｒｂの光照射によって記録し、再生を波長λｐｂの光照射によって再生する光透過性基板あるいは光透過性保護膜とするとき、光透過性基板あるいは光透過性保護膜は、情報Ａの記録波長λｒａおよび再生波長λｐａの光に対する透過率を５０％以上とすることが望ましい。
これは、情報Ａの記録もしくは再生を光照射で行う場合、情報Ａに効率的に光照射エネルギーを与えることができるためであり、透過率が５０％未満となると、光照射光源に大きなパワーを必要とし、例えば半導体レーザを光源として用いる場合、投入電流が大となって半導体レーザの寿命低下を来すことによる。
【００５４】
また、同様に、情報Ａの記録領域が、情報Ａの記録を波長λｒａの光照射によって記録し、再生を波長λｐａの光照射によって再生する記録領域とし、光透過性基板あるいは光透過性保護膜が、情報Ｂの記録を波長λｒｂの光照射によって記録し、再生を波長λｐｂの光照射によって再生する光透過性基板あるいは光透過性保護膜とするとき、光透過性基板あるいは光透過性保護膜が、情報Ｂの記録波長λｒｂの光に対する透過率は５０％以下とすることが望ましい。
これは、情報Ｂの記録を行う場合、５０％より高い透過率とするとき、記録光の透過が大きくエネルギーの吸収が小さくなって記録効率が低くなることから、光源パワーを大きく必要となり、前述したと同様に、例えば半導体レーザを光源として用いる場合、投入電流が大となって半導体レーザの寿命低下を来すことによる。
【００５５】
更に、情報Ａの記録領域が、情報Ａの記録を波長λｒａの光照射によって記録し、再生を波長λｐａの光照射によって再生する記録領域とし、光透過性基板あるいは光透過性保護膜が、情報Ｂの記録を波長λｒｂの光照射によって記録し、再生波長λｐｂの光照射によって再生される光透過性基板あるいは光透過性保護膜とするとき、光透過性基板あるいは光透過性保護膜が、情報Ｂの再生波長λｐｂの光に対する透過率が５０％以上であることが望ましい。
これは、情報Ｂの再生において、透過率５０％未満の場合、再生光の損失が大きくなって、高いＳ／ＮあるいはＣ／Ｎを得るのに、光源パワーを大きく必要となり、前述したと同様に、例えば半導体レーザを光源として用いる場合、投入電流が大となって半導体レーザの寿命低下を来すことによる。
【００５６】
更に、本発明を図面を参照して詳細に説明する。
〔記録媒体〕
図１は、ＲＯＭ（Read Only Memory) 型の記録媒体、例えばＲＯＭディスクの概略断面図を示す。この例では、情報Ａの記録ピット、グルーブ等の微細凹凸による情報Ａの記録領域３を有する例えばポリカーボネート（ＰＣ）基板による光透過性基板１が射出成型によって形成され、この情報Ａの記録領域３を構成する基板１の微細凹凸、すなわち情報Ａの記録領域の形成面上に反射膜４が形成され、この上に光透過性保護膜２が形成された構成を有する。
【００５７】
この記録媒体Ｍに対する情報Ａの記録領域３の情報Ａの読み出しは、例えば光透過性基板１側からレーザ光Ｌを、対物レンズ５を通じて記録領域３に集光して、その微細凹凸による干渉による反射光量の変化を検出することによって情報の読み出しを行う。
あるいは図１に鎖線で示したように、光透過性保護膜２側から、レーザ光Ｌを、対物レンズ５を通じて記録領域３に集光して、その凹凸による干渉による反射光量の変化を検出することによって情報の読み出しを行う。このように、光透過性保護膜２側からのレーザ光照射による読み出しによるときは、その光透過性保護膜２は、光透過性基板１に比して、その厚さが充分薄いことから、対物レンズ５と記録領域３とが近接されることから、対物レンズの開口数を大きくでき、スポット径の縮小化が図られることから、記録密度の向上を図ることができるものである。
【００５８】
また、図２で概略断面図を示す記録媒体Ｍは、光透過性基板１上に、例えば紫外線硬化樹脂による材料層６を形成し、これに、微細凹凸による情報Ａを有する記録領域３を２Ｐ法（Photopolymerization 法) によって形成する構成とした場合である。
そして、この場合においても、基板１の微細凹凸、すなわち情報Ａの記録領域の形成面上に反射膜４が形成され、この上に光透過性保護膜２が形成された構成とする。
【００５９】
この図２における記録媒体Ｍに対する記録領域３の情報Ａの読み出しも、例えば光透過性基板１側からレーザ光Ｌを、対物レンズ５を通じて記録領域３に集光して、その微細凹凸による干渉による反射光量の変化を検出することによって情報の読み出しを行う態様とする。
あるいは図２に鎖線で示したように、光透過性保護膜２側から、レーザ光Ｌを、対物レンズ５を通じて記録領域３に集光して、その凹凸による干渉による反射光量の変化を検出することによって情報の読み出しを行う。
【００６０】
また、図３Ａに概略断面図を示すように、光透過性基板１上に、情報Ａの記録領域３を構成する例えば前述した光磁気記録層、色素記録層、相変化記録層等の例えば書き換え可能な記録層、あるいは１度の書き込みのみを行う記録層を有する構成とすることができる。その表面には、保護膜１２が形成される。
この記録領域３を構成する記録層は、単層構造に限られるものではなく、多層の材料層の積層構造とすることもできるし、これら記録層の記録再生特性の改善のために、記録膜以外に、光干渉層としてＳｉＮ、ＡｌＮ、ＺｎＳ−ＳｉＯ２、ＳｉＣなどの誘電体膜やアルミニウム、金、銀、銅、シリコンなどの金属膜、熱制御層としてＳｉＮ、ＡｌＮ、ＺｎＳ−ＳｉＯ２、ＳｉＣなどの誘電体膜やアルミニウム、金、銀、銅、白金、シリコンなどの金属膜等の材料層が形成された積層構造とすることもできる。
これら、記録層、材料層は、スパッタ装置、蒸着装置、塗布装置などの成膜装置によって形成することができる。
また、反射膜４は、例えばアルミニウム、金、銀、銅、白金、およびこれらの合金等を成膜して適当な反射率を有する反射膜とする。
この図３で示した記録媒体に対する情報Ａの記録再生は、光透過性基板１側から、例えばレーザ光Ｌを対物レンズ５を通じて集光することによって行う。
【００６１】
また、図４Ａでその概略断面図を示した記録媒体Ｍの構成は、光透過性を問わない基板１１上に例えば反射膜４が形成され、この上に例えば図３で説明した情報Ａの記録領域３を構成する例えば前述した光磁気記録層、色素記録層、相変化記録層等の例えば書き換え可能な記録層、あるいは１度の書き込みのみを行う記録層を形成した構成とすることができる。そして、この場合、その表面に、光透過性保護膜２を形成する。
この記録媒体Ｍに対する情報Ａの記録再生は、光透過性保護膜２側から、例えばレーザ光Ｌを対物レンズ５を通じて集光することによって行う。
【００６２】
また、上述の図３Ｂおよび図４Ｂに示すように、その光透過性基板１、あるいは図２で説明したように、光透過性保護膜２側に例えばトラッキングサーボ用のグルーブ等が形成された構成とすることもできる。
図３Ｂおよび図４Ｂにおいて、図３Ａおよび図４Ａと対応する部分に同一符号を付して重複説明を省略する。
【００６３】
図５Ａにその概略断面図を示した記録媒体Ｍは、両面に情報Ａの記録がなされる記録領域３を有する媒体構成とした場合で、この場合、光透過性基板１の相対向する両主面のそれぞれに例えば図４で説明したと同様の記録領域３を構成する記録層を形成することができる。あるいは図５Ｂにその概略断面図を示すように、２枚の光透過性基板１あるいは例えばシート状の光透過性保護膜の各一方の面に記録領域３を構成する記録層等を形成し、紫外線硬化樹脂、あるいは熱硬化樹脂等の貼り合せ層ＡＤによって貼り合わせた構成とすることもできる。そして、この、記録媒体Ｍに対しては、その両面から、情報Ａの記録再生を、例えばレーザ光Ｌを対物レンズ５を通じて集光することによって行う構成とすることができる。
尚、図５ＡおよびＢにおいて、図４と対応する部分には同一符号を付して重複説明を省略する。
【００６４】
また、本発明による記録媒体Ｍは、上述したように、情報Ａの、再生あるいは記録再生を、光学的に行う場合に限られるものではなく、例えば図６にその概略断面図を示すように、光透過性基板１上に、磁性層による情報Ａの記録再生がなれる記録領域３を有する構成によることができる。
【００６５】
あるいは、図７にその概略断面図を示すように、例えば光透過性を問わない基板１１上に、磁性層による情報Ａの記録再生がなされる記録領域３が形成され、この上に光透過性保護膜２が形成された構成とすることもできる。
【００６６】
これら図６および図７に示した記録媒体Ｍは、いわゆるハードディスク構成とすることができる。
これら記録媒体Ｍの記録領域３に対する情報Ａの記録再生は、図８および図９にそれぞれ示すように、磁性層による記録領域３に対して磁気ヘッド２１によってなされる。この磁気ヘッド２１は、例えば浮上型磁気ヘッドによることができる。すなわち、この磁気ヘッド２１は、スライダーを有し、記録媒体Ｍ、すなわちディスクの回転によって発生する空気流によってスライダーが浮上し、このスライダーに配置されているヘッド素子が、磁性層すなわち記録領域３に対していわゆるエアベアリングを介して、記録領域３上を、リング状あるいは渦巻き状に走査するようになされ、この走査軌跡に沿って情報Ａの記録、および情報Ａの再生がなされる。
【００６７】
上述した各記録媒体Ｍにおける光透過性保護膜２は、前述した各材料によるシートによって構成することもできるし、塗膜によって構成することができる。
【００６８】
次に、本発明による記録媒体に対する記録方法について説明する。
〔記録方法〕
上述した図１〜図７の各記録媒体Ｍに対する情報Ａの記録は、通常の方法によることができる。
すなわち、図１および２の構成においては、その記録領域３を形成する微細凹凸の形成を、例えば射出成型によって、あるいは２Ｐ法によって形成するに際して用いられるスタンパーの作製いわゆるマスタリング工程において、凹凸パターンを情報Ａに対応するパターンとして形成する。
また、図３〜図５の記録媒体Ｍに対する情報Ａの記録は、記録層に対して、記録情報Ａに応じて例えば光もしくは熱パターンを、例えばレーザ光照射によって与えて、形状変化、化学的反応、結晶−非晶質変化、磁化方向変化等によって記録する。
更に、図６および図７の記録媒体Ｍについては、前述した磁気ヘッド２１によって磁化方向変化を与えて情報Ａの記録する。
【００６９】
そして、上述した各記録媒体Ｍの光透過性基板１、光透過性保護膜２に対する前述した情報Ｂを記録する記録方法としては、紫外線照射によって行うことが好ましい。これは、紫外線領域の波長では、ほとんどの物質で光の吸収がきわめて大きく、このため、対象となる光透過性基板１、光透過性保護膜２の構成材料に依存することなく、機械的変化を来すことなくその化学的、物理的変化を起こすことができることによる。
また、この紫外線照射による記録は、その照射時間、強度、照射面積のいずれか、あるいはこれら双方の変調によって行うことができる。
そして、これら光透過性基板１、光透過性保護膜２に対する情報Ｂの記録は、記録媒体Ｍの構成に応じて、記録媒体Ｍが完成された状態で、情報Ａの記録前あるいは記録後に形成することもできるし、半完成状態、あるいはこれら光透過性基板１、光透過性保護膜２に対する各材料層が形成されていない状態で、情報Ｂの記録を行うことができる。
【００７０】
この情報Ｂの記録は、例えば図１０に示すように、例えば記録媒体Ｍを回転させた状態で、紫外線レーザＬＲのスポットを、記録情報に応じたパターンに照射することによって、情報Ｂを、屈折率変化、もしくは消光係数変化、あるいは透過率変化、もしくは反射率変化によって記録部２０を形成する。この方法によるときは、記録パターン２０は、円弧状となる。このとき、紫外線レーザＬＲの入射面は、光透過性基板側とすることもできるし、これとは反対型の記録層の形成面側とすることもできる。
【００７１】
また、この情報Ｂの記録を紫外線ランプを用いて行うこともできる。この場合は、例えば図１１に示すように、情報層Ａの記録領域側、すなわち記録層の形成面側、あるいはこれとは反対側の光透過性基板１あるいは光透過性保護膜２側に、紫外線に対してマスク効果を有し、記録しようとする情報Ｂのパターンに応じた紫外線を透過する透過パターン２３が形成されたフォトマスク２２を、対接あるいは対向して配置する。そして、このフォトマスク２２を介して、紫外線ランプ２４からの紫外線を照射することによって、例えば図１３に示す情報Ｂの記録部２０を形成する。
このフォトマスク２２は、複数種、もしくは複数枚用意し、これらを組み合わせることによって、種々のパターンの情報Ｂの記録を行うようにすることもできる。
【００７２】
上述した情報Ｂの記録部２０の形成は、前述したように、情報Ａの記録領域３を構成する記録層等が形成されない状態で行うことができ、この場合は、記録部２０の形成後に、記録層等の成膜がなされる。
また、情報Ｂの記録を、多値記録とすることができる。この多値記録は、例えば、記録情報に応じて、紫外線照射時間、照射強度、照射光量等のいずれか１つ以上を変化させることによって、屈折率変化量もしくは消光係数変化量、あるいは光透過率変化量もしくは反射率変化量が異なる記録を行うことができる。そして、この変化量を、階段的に変化すなわちデジタルに変化させることもできるし、連続的にすなわちなアナログ的に変化させて、連続的多値記録を行うことができる。
【００７３】
次に、再生方法について説明する。
〔再生方法〕
上述した各記録媒体Ｍの記録領域３における情報Ａに対する再生は、通常におけると同様に、光照射例えばレーザ光照射によるとか、例えば図６および図７で示した磁気記録層による場合は、磁気ヘッドによる読み出しを行うことができる。
そして、この情報Ｂの読み出し、すなわち記録部２０の再生は、例えば図１２Ａ、あるいは図１３Ａに示すように、例えば記録媒体Ｍを回転させることによって、再生光Ｌのスポットを、光透過性基板１あるいは光透過性保護膜２に対して走査し、光透過性基板１あるいは光透過性保護膜２の、屈折率変化、もしくは消光係数変化、あるいは透過率変化、もしくは反射率変化として記録された記録Ｂの記録部２０からの再生光Ｌの例えば反射光を、検出することによって、図１２Ｂおよび図１３Ｂで示す検出光量をもって検出、すなわち再生することができる。
【００７４】
また、前述した階段的、連続的多値記録された情報Ｂの再生も、屈折率変化、もしくは消光係数変化、あるいは透過率変化、もしくは反射率変化として記録された記録Ｂの記録部２０からの再生光Ｌの例えば反射光を、検出することによって、その検出光量変化によって同様に検出、すなわち再生することができる。
【００７５】
次に、記録装置および再生装置を例示する。
〔記録装置〕
図１４は、記録装置の一例の概略構成図を示す。
この例では、情報Ｂを、光学的記録方法によって記録媒体Ｍの光透過性基板１あるいは光透過性保護膜２に記録する場合である。
尚、記録媒体Ｍに対する、情報Ａと情報Ｂとの記録位置は、互いに厚さ方向に重なる位置に記録することもできるし、例えば情報Ｂの記録位置を情報Ａの記録領域範囲より内周側あるいは外周側等の特定された位置に記録するとか、あるいは光透過性基板１あるいは光透過性保護膜２に、微細凹凸によるグルーブを設けた場合において、そのグルーブと、グルーブ間のランド部とのいずれか一方に情報Ａの記録を行い、他方に情報Ｂの記録を行うこともできる。
また、この例では、記録媒体Ｍがディスク状をなし、モータ３０によって回転駆動するようになされる。
【００７６】
この記録媒体Ｍに対して、光照射手段、すなわち光ピックアップ３１が設けられる。
この光ピックアップ３１は、図示しないが、基本的には、通常の光記録媒体における光ピックアップ３１に対応する構成を有し、この場合は、記録光を発生する光源部例えば紫外線レーザを有する光源部と、フォーカス調整およびトラッキング調整を行うアクチュエータに配置された前述の対物レンズ５、光路を形成する各種レンズ、ビームスプリッタ、反射鏡等の光学系、フォーカシングエラー、トラッキングエラーを検出する検出部、記録媒体Ｍからの戻り光（反射光）を検出して電気的信号に変換して取り出す光検出手段、例えば光ディテクタ、例えばフォトダイオード等を有して成る。
【００７７】
上述したように、光源部の記録光として紫外線を用いるときは、高エネルギー密度で、より正確な精度で、より微小面積の照射が可能である。
この紫外線レーザは、例えばＹＡＧレーザと非線形光学結晶による波長変換を利用した波長２６６ｎｍの紫外線レーザを発生するレーザを用いることができるが、紫外光を発生するレーザであれば、これに限定されるものではない。
【００７８】
この記録装置においては、中央制御回路３２が設けられる。
記録したい情報Ｂは、入力装置３３に入力され、暗号化回路３４によって暗号化され、符号化回路３５によって符号化される。この符号化された信号が、中央制御回路３２に入力される。
中央制御装置３２は、入力された情報を本発明による記録媒体Ｍに記録するため、それぞれ、記録媒体Ｍの回転モータ３０のモータ駆動回路３６、光ピックアップ３１の、紫外線レーザのレーザ駆動回路３７を制御する。
【００７９】
また、同時に、この中央制御装置３２は、光ピックアップ３１から、記録が適正に行なわれているかの光量モニタ３８からのモニタ信号、目的の位置に記録が行なわれているかのフォーカス、およびトラッキングモニタ３９からの各サーボ信号をそれぞれ監視して、それぞれの制御を行なう。
符号回路３５から中央制御回路３２に導入された入力情報は、レーザ駆動回路３７により、ピックアップ３１の光源部のレーザ、この例では紫外線レーザ光に変換され、本発明の記録媒体Ｍ上に記録される。
このときのレーザ光の発光強度や発光時間は光量モニタ３８により監視され、その情報は中央制御回路３２にフィードバックし管理される。記録される情報の記録媒体上での位置はフォーカス、およびトラッキングから得られるサーボ信号により制御される。また記録された情報は、情報検出回路４０によりその正誤を確認する。
このようにして、情報Ｂの記録を、所定位置に順次行う。
【００８０】
そして、光ピックアップ３１による情報Ｂの記録は、前述したように、紫外線の照射時間、光量、照射強度等を入力情報Ｂに応じて変化させることによって階段的、あるいは連続的多値記録を行うことができる。
【００８１】
上述した例では、紫外線レーザからのレーザビームによる記録を行う場合であるが、図１３で説明したように、紫外線ランプによる情報Ｂの記録方法によるときは、光ピックアップの光源部は紫外線ランプを有し、これから発せられた紫外線により、前述したフォトマスク２２を通じて、所要のパターンに均一なエネルギー密度で、大面積、一括した紫外線照射によって記録を行う。
紫外線ランプとしては、低圧水銀灯、高圧水銀灯、超高圧水銀灯、キセノンランプなどの紫外光を発生する各種紫外線ランプを用いることができる。
【００８２】
また、特に紫外線ランプ、もしくは紫外線レーザの発光波長が短い場合には、空気による紫外光の吸収を防止し、効率的に記録媒体に紫外線を照射するために、紫外線の吸収の少ない雰囲気中、例えば窒素雰囲気中等で実施することができる。
尚、情報Ａの記録方法、記録装置としては、通常の記録方法、記録装置を使用することができるものであり、上述した情報Ｂの記録装置と一部あるいは全部を共用することもできる。
【００８３】
〔再生装置〕
図１５は、本発明による再生装置の一例の概略構成図を示す。
図１５において、図１４に対応する部分には同一符号を付す。
まず、記録媒体Ｍに記録された情報Ｂについての再生がなされる。
中央制御装置３２は、それぞれ、記録媒体Ｍの回転モータ３０のモータ駆動回路３６、光検出手段の光ピックアップ３１の光源部の再生レーザ光を発光するためのレーザ駆動回路３７を制御する。
【００８４】
同時に、この中央制御装置３２は、記録媒体Ｍの記録再生を行なう光ピックアップから、再生が適正に行なわれているかの光量モニタ３８からの信号、目的の位置の再生が行なわれているかのフォーカス、およびトラッキングモニタ３９からのサーボ信号、記録媒体Ｍから光ピックアップ３１によって再生された信号をそれぞれ監視し、この制御を行なう。このときのレーザ光の発光強度や発光時間は光量モニタ３８により監視され、その情報は中央制御回路３２にフィードバックし管理される。また、目的とする情報の記録媒体Ｍ上での位置は、フォーカスおよびトラッキングモニタ３９から得られるサーボ信号により制御される。
【００８５】
また光ピックアップ３１から得られた透過率の変化もしくは、反射率の変化は、 再生光の透過光量の変化、もしくは反射光量の変化として、光ピックアップ３１の光ディテクタにより検出され電気信号に変換され、その再生信号は情報検出回路４０に導入され、復号化回路４１によって復号化され、暗号解読化回路４２によって暗号の解読がなされて中央制御回路３２に入力される。中央制御回路３２は、このようにして得られた情報が適正なものであるかを判別する。そして、これが適正であることが判断されたとき、記録媒体Ｍの情報Ａの再生が、光ピックアップ３１からの読み出しが可能となり、出力信号４３として取り出すことができるようになされる。
尚、情報Ａの再生方法、再生装置としては、通常の再生方法、再生装置を使用することができるものであり、上述した情報Ｂの再生装置と一部あるいは全部を共用することもできる。
【００８６】
また、図１６は、図６および図７で示した情報Ａの記録領域３が、磁性層によって構成された記録媒体Ｍが用いられる場合の再生装置の一例の概略構成図を示す。
図１６において、図１４および図１５と対応する部分には同一符号を付して重複説明を省略する。この場合においては、情報Ａに関する前述した磁気記録再生ヘッド２１が設けられるとともに、情報Ｂに関する光ピックアップ３１が設けられる。
この記録再生装置においては、図１５と同様の方法によって情報Ｂの再生がなされ、この再生によって、記録媒体Ｍが適正であると判断されたとき、中央制御回路３２は、磁気記録再生ヘッド２１に磁気記録媒体上の情報を記録再生するように制御信号を与え、これにより磁気記録再生ヘッド２１によって、情報Ａによる磁気的記録信号を取出し、情報検出回路４４によって情報検出がなされ、その検出信号が、情報切換え回路４５によって、復号化回路３９に切換え導入され、暗号解読化回路４１によって暗号の解読がなされて中央制御回路３２に入力され出力信号４３を得ることができるようになされる。
【００８７】
そして、記録された情報Ｂが、前述したように多値記録である場合は、出力信号４３として同様に階段的あるいは連続的多値の出力信号が得られる。
【００８８】
〔記録再生装置〕
図１４〜図１６で示した装置においては、記録装置および再生装置をそれぞれ例示したものであるが、これら機能を合せ持つ構成とすることによって、記録再生装置を構成することができる。
例えば図１５および図１６の構成において、図１４の入力情報の入力回路系、すなわち入力装置３３、暗号化回路３４、符号化回路３５を設け、光ピックアップ装置３１および磁気ヘッド２１において、記録および再生の両機能を具備させるなどである。
【００８９】
尚、上述の各装置において、情報Ｂの信号は、例えば２値化処理によって２値信号として検出することができる。これについて、図１７を参照して説明すると、例えば図１７Ａに示すように、例えば光透過性基板１あるいは光透過性保護膜２に記録領域３として、前述した各種記録層３が形成され、反射膜４が形成された記録媒体Ｍにおいて、情報Ａの再生信号が、図１７Ｂで示すように、レベルＴ0 〜Ｔ1 の信号ＳA である場合において、図１７Ｃに示すように、記録媒体Ｍの光透過性基板１あるいは光透過性保護膜２に、情報Ｂの記録部２０が形成され、これよりの信号が、図１７Ｄに示すように、レベルＴ2 を有する信号ＳB が得られる。したがって、今、図１７ＢおよびＤに鎖線で示すレベルＴ1 およびＴ2 間のレベルＴS をスライスレベルとして２値化すると、図１７Ｅに示すように、情報Ｂを検出することができる。
【００９０】
また、情報Ａおよび情報Ｂの記録媒体Ｍにおける形成位置は、その記録再生方法に応じて互いに重なる位置に跨がって形成することもできるが、前述したように、例えば同一波長の紫外線照射によるときは、情報Ｂは、情報Ａと重なることがない位置、例えば図１８に平面図を示すように、ディスク状の記録媒体Ｍにおいては、情報Ａが形成される記録範囲５０を除く、その内周領域５１、あるいは外周領域に情報Ｂの記録部２０を形成する。
あるいは、前述したように、情報Ａを、ランドかグルーブの一方に、情報Ｂを他方に記録することができる。
【００９１】
尚、情報Ａの記録波長λｒａ、再生波長λｐａは、可視光領域における波長を有する光源部により行なわれることが好ましい。また、この光源部は半導体レーザ等により構成することにより、記録再生装置の小型化を図ることができる。
したがって、情報Ａの記録波長λｒａ、再生波長λｐａは、例えば、波長８３０ｎｍの赤外半導体レーザ、波長７８０ｎｍ、６８０ｎｍ、６５０ｎｍ、６３５ｎｍなどの赤色半導体レーザ、５３２ｎｍ程度の緑色半導体レーザ、４００ｎｍ程度の青色半導体レーザで実現することができる。具体的には、波長３００ｎｍ以上９００ｎｍ以下の波長を有する光源部により構成されることが望ましい。
【００９２】
また、情報Ｂの記録波長λｒｂ、再生波長λｐｂは、紫外光領域における波長を有する光源部により行なわれることが好ましい。また、この光源部は固体レーザ、半導体レーザ等により構成することにより、記録再生装置の小型化を図ることができる。従って、情報Ｂの記録波長λｒｂ、再生波長λｐｂは、例えば、４００ｎｍ程度の青色半導体レーザ、非線形光学結晶を用いた２６６ｎｍの遠紫外固体レーザ、１０８ｎｍ、１２６ｎｍ、１４６ｎｍ、１５４ｎｍ、１６１ｎｍ、１７２ｎｍ、２５３ｎｍ、２９１ｎｍ、３５１ｎｍなどの波長を有するエキシマランプ、波長２４８ｎｍＫｒＦエキシマレーザ、波長１９３ｎｍＡｒＦエキシマレーザ、波長１５７ｎｍＦ２エキシマレーザで実現することができる。具体的には波長１００ｎｍ以上５００ｎｍ以下の波長を有する光源部により構成されることが望ましい。
【００９３】
次に、本発明による記録媒体Ｍを構成する光透過性基板１に関わる実施例について説明するが、言うまでもなく、これら例に限定されるものではない。
〔実施例１〕
この場合、直径１２０ｍｍのポリカーボネートよりなる光透過性基板１を用意した。この基板１の厚さは、この基板１の、透過率変化、もしくは反射率変化を検出できる厚さに選定すれば良いものであるが、この場合、その厚さを０．６ｍｍとした。
この光透過性基板１に、紫外線ランプによって１０分間の紫外線照射を行った試料と、この紫外線照射を行う前の試料に対する光透過率の波長依存性を測定した。図１９中、実線曲線６１は、紫外線照射を行う前の試料に対する光透過率の波長依存性を示し、図１９中、破線曲線６２は、上述の紫外線照射を行って後の試料に対する光透過率の波長依存性を示す。
この場合の、紫外線照射装置は、テクノビジョン株式会社製「ＵＶＯ−ＣＬＥＡＮＥＲ」の１４４Ａ−１００モデルを使用した。紫外線ランプは、低圧水銀グリッドランプであり、そのランプ出力は２０ｍＷ／ｃｍ2 である。また、その主な紫外線波長は１８４．９ｎｍ、２５３．７ｎｍである。また、照射は窒素ガス雰囲気中で行なった。透過率の測定は分光光度計により、波長３００ｎｍから８００ｎｍまで測定した。
【００９４】
この図１９で分かるように、紫外線照射を光透過性基板に照射することにより、透過率が減少し、特に５００ｎｍ以下の波長で大きく減少している。そして、その変化は、たとえば、波長４００ｎｍでは照射前８８％から照射後７５％に、波長３５０ｎｍでは照射前８４％から照射後５０％にそれぞれ減少している。
【００９５】
次にこの紫外線照射による透過率の変化の現象を理解するために、この光透過性基板１の光学定数をエリプソメトリー分光計で測定した。図２０は、紫外線照射前と後との各屈折率の波長依存性を比較して示したものである。
【００９６】
また、図２１は、同様の紫外線照射前と後との消光係数の波長依存性を比較して示したものである。
【００９７】
図２０および図２１に示すように、紫外線照射により光透過性基板１の光学定数である屈折率と消光係数自体が変化していることが確認された。
また、この光透過性基板１を実体光学顕微鏡により紫外線照射前後で形状の変化を観察した。しかし、紫外線照射の前後で形状の変化は全くみられなかった。したがって、その透過率の変化は、紫外線による樹脂材料内部の化学的変化、変質と考えられ、従来から報告されている紫外線レーザ照射による樹脂材料の蒸発、変形などのいわゆるレーザアブレーションによる物理的な形状変化ではないことは留意されるべきことである。
すなわち、この紫外線照射による光学的特性変化（透過率変化、もしくは反射率変化）は、樹脂材料の光学定数である屈折率と消光係数自体が変化していることによるためである。
【００９８】
図１９から明らかなように、紫外線照射による透過率の変化、もしくは反射率の変化を利用することにより、本発明による記録媒体Ｍによれば、光透過性基板１への情報の記録再生ができるものである。
すなわち、本発明においては、前述したように、記録媒体Ｍの光透過性基板１の例えば透過率変化を、紫外線照射により生じさせて情報Ｂの記録を行い、一方、この光透過性基板１の透過率変化を検出することにより情報Ｂの再生を行うことができる。
【００９９】
更に、光透過性基板１に紫外線照射を行なうことにより、光透過性基板１の光学定数たる屈折率と消光係数が変化し、これにより基板の透過率もしくは反射率が変化し、文字、数字、画像、バーコードによる情報Ｂの記録再生を行う場合の実施例について説明する。
〔実施例２〕
この場合、光透過性基板１に、選択的に紫外線照射を行なうことにより、情報の記録を行った。
【０１００】
すなわち、この場合においては、図１で示した微細凹凸が形成された構成の、直径１２０ｍｍのポリカーボネートよりなる光透過性基板を用いた。この場合においても、基板１の厚さは、この基板１の、透過率変化、もしくは反射率変化を検出できる厚さに選定すれば良いものであるが、この場合、その厚さを０．６ｍｍとした。
【０１０１】
この光透過性基板１の一主面上には、トラックピッチが０．４０μｍから０．０２μｍ刻みで０．３６μｍまでの４つのゾーン分けがなされたグルーブが形成された構成とした。
尚、実際の構成においては、この光透過性基板１の一主面上には、いうまでもなく、グルーブ以外にピットマークや蛇行したアドレス読み出し用のグルーブ等が形成された構成とすることができる。
【０１０２】
この場合、図２２Ａに示すように、数本のリング状のグルーブＧが形成された基板１を用いて、図２２Ｂに示すように、紫外線ランプを用いて、フォトマスクを介して、選択的に紫外線を照射して文字による情報Ｂの記録を行った。この場合においても、文字部分のみに紫外線を１０分間照射した。
【０１０３】
この場合、肉眼的にもこの文字の観察を行うことができた。
したがって、これによって、前述したように、数字、文字、バーコード、画像の書き込みが可能であることが分かる。
【０１０４】
尚、上述したところは、光透過性基板１の透過光による透過率の変化の検出について説明したが、言うまでもなく、紫外線照射後の光透過性１に、所要の反射率を有する前述した、例えばアルミニウム、銅、白金、銀、金、およびその合金などを成膜した反射膜を形成して、光透過性基板１からの反射光により、その透過率の変化を反射光量の変化としても検出することもできる。
図２２においては、グルーブＧが形成された透過性基板１に対して情報Ｂの記録を行ったが記録媒体を光透過性記録体１００自体によって構成し、これに同様の情報Ｂの記録を行っても同様の効果が得られた。
【０１０５】
次に、光透過性基板１に紫外線照射を行なうことにより、光透過性基板１の光学定数である屈折率と消光係数が変化し、これにより光透過性基板１の透過率、もしくは反射率が変化し、情報Ｂの記録再生を行うようにした実施例について説明する。
〔実施例３〕
この実施例においては、〔実施例２〕で説明したように、基板１の任意の位置に、選択的に紫外線照射を行なうことにより、情報の記録を行なうことが可能であることから、光透過性基板１に、選択的に紫外線照射を行なって、光透過性基板１に情報Ｂの記録を行い、その情報Ｂを本発明による再生装置によって再生した。
【０１０６】
この場合においても、前述した場合と同様に、直径１２０ｍｍの光透過性基板１を用意した。この場合においても、この基板１の厚さは、透過率変化、もしくは反射率変化を検出できる厚さに選定すれば良いものであるが、この場合、その厚さを０．６ｍｍとした。
【０１０７】
この光透過性基板１への紫外線照射は、前述したと同様に、紫外線ランプを用いて、これからの紫外線を、フォトマスクを用いて、情報Ｂとしての記録マーク列を記録した。この記録は、マークの長さをそれぞれ２．０ｍｍ、１．０ｍｍ、０．５ｍｍ、０．３ｍｍと変化させて行なった。
この場合、言うまでもなく、光透過性基板１の一主面に、グルーブや、ピットマーク、蛇行したアドレス読み出し用のグルーブの形成、更には反射膜、記録層の形成を行うことができる。
【０１０８】
この紫外線照射により、これらの情報Ｂが記録された光透過性基板１は、次に、本発明の再生装置により再生を行なうために、情報Ｂの記録された基板１の一主面上に、アルミニウムからなる反射膜を、厚さ１００ｎｍにスパッタ装置により成膜した。
その後、このアルミニウム反射膜上に、紫外線硬化樹脂を塗布し、紫外線を照射することによりこれを硬化させて保護膜を形成した。
反射膜材料としてアルミニウムに限られるものではなく、再生波長で適当な反射率を有する材料、たとえば、アルミニウム合金、銅、白金、銀、金、及びその合金などによることができる。
【０１０９】
このように、情報Ｂが記録された記録媒体Ｍを、図２３に示す光ピックアップ３４による本発明の再生装置によって再生した。
この場合の、再生光の光源７１は、波長が４０５ｎｍのガリウムナイトライド半導体レーザを使用した。また対物レンズ５は、開口数（ＮＡ）が０．６のものを使用した。
記録媒体Ｍの線速度は３．４６ｍ／ｓとした。
そして、記録媒体Ｍの情報Ｂの検出には、ディテクターＲＦ１とディテクターＲＦ２とに入ってくる記録媒体からの反射光量の検出出力の和として検出することにより、情報Ｂの再生信号とした。また、再生時の再生レーザ光のパワーは、２ｍＷとした。
【０１１０】
この例においては、光源７１の波長４０５ｎｍのレーザからの再生レーザ光は、コリメータレンズ７２、アナモルフィックレンズ７３、ビームスプリッタ７５、１／２波長板７６、対物レンズ５を通じて記録媒体Ｍに照射される。
そして、ビームスプリッタ７５によって一部反射されたレーザ光をフロントモニタ用ディテクタ７７によって検出して、レーザ７１のパワー制御を行うモニタ信号を得る。
【０１１１】
記録媒体Ｍからの反射レーザ光は、対物レンズ５、１／２波長板７６を通じてビームスプリッタ７５に導入され、これによって反射されて、更に他のビームスプリッタ７８に導入され、一部は透過し、一部は反射される。ビームスプリッタ７８を透過した反射レーザ光は、１／４波長板７９、１／２波長板８０、１／４波長板８１、１／２波長板８２を通じて、ビームスプリッタ８３に導入され、２つの光路に分岐されて、それぞれマルチレンズ８４、８５を通じてディテクターＲＦ１とディテクターＲＦ２に導入される。
【０１１２】
一方、ビームスプリッタ７８によって分岐されたレーザ光は、コンデンスレンズ８６、マルチレンズ８７、フォーカスディテクタ８８に導入される。
【０１１３】
因みに、ディテクターＲＦ１とディテクターＲＦ２からの検出出力は、前述したように、その出力の和を用いることもできるが、例えば情報Ａが、光磁気記録による場合、すなわちカー回転角θｋの検出によって情報Ａの読み出しを行う態様によるときは、それぞれ＋θｋ，−θｋの検出を行って、これら出力の差によって再生出力を取り出すようにすることによって再生出力の増大化を図るものである。
【０１１４】
尚、図２３に示された再生装置の光学系の構成は、情報Ａの各種再生方法により変更が可能であることは、言うまでもない。また、情報Ｂの再生光学系の構成は、透過光量変化もしくは反射光量変化が検出できればこれに限定されるものではない。
【０１１５】
図２４〜図２８は、この記録媒体Ｍからの反射光量変化を検出することにより得られた再生信号を示す。図２４は、記録マーク列を示しており、安定した十分な信号が得られることが確認された。また、図２５〜図２８は、それぞれ記録マークの長さが、０．３ｍｍ、０．５ｍｍ、１．０ｍｍ、２．０ｍｍの再生信号を示す。
また、図２９は、このようにして得られた各マーク長に対する反射光量に対する変化率を示したものである。記録されたどの記録マークも安定した十分な信号が得られることが確認された。
【０１１６】
図３０ＡおよびＢは、それぞれ再生回数１回目と１０万回目の記録マーク列の再生信号を示す。これらを比較して明らかなように、再生信号は、１０万回目の再生後でも安定した十分な信号が得られることを確認された。
また、図３１は、再生回数に対する２．０ｍｍマーク長の反射光量振幅を示したものである。この図３１に示すように、１０万回の再生に対しても、反射光量振幅はまったく変化を示しておらず、本発明の記録媒体Ｍの情報Ｂは、きわめて安定で、不可逆な情報として記録されていることが分かる。
【０１１７】
また、同様にして、アルミニウムからなる反射膜を、例えばフタロシアニン系色素膜などの色素記録膜、また例えばＣｏＰｔＣｒ系磁性膜などの磁気記録膜、また例えばＴｂＦｅＣｏ系磁性膜などの光磁気記録膜、また例えばＧｅＳｂＴｅ系膜などの相変化記録膜などに変えて、それぞれの成膜装置により情報Ｂが記録された光透過性基板１の一主面に成膜した。そして、同様に再生装置を用いて反射光量の変化を検出し、情報Ｂを再生することができた。
そして、この場合、再生安定性についても１０万回まで全く問題がなく、再生ができた。
尚、上述した記録膜の場合には、記録膜以外に光干渉膜や、熱制御膜、反射膜を適宜追加して成膜することができる。
【０１１８】
また、上述の光磁気記録膜構成を、少なくとも再生層と記録層とを有し、再生に当たって記録層に記録されている情報磁区を再生層に選択的に、再生光内の温度分布を利用して転写するとか、磁区拡大して転写するようになされた例えば中央検出型磁気超解像記録などの磁気超解像記録媒体、例えばＭＡＭＭＯＳ（Magnetic Amplifying Magneto-Optical System）や、ＤＷＤＤ（Domain Wall Displacement Detection）などの磁区拡大再生媒体に変えて、それぞれ成膜装置により、情報Ｂが記録され光透過性基板１に成膜した。そして、同様に再生装置を用いて反射光量の変化を検出し、情報Ｂを再生することができた。
そして、この場合、再生安定性についても１０万回まで全く問題がなく、再生ができた。
また、この場合においても、記録膜以外に光干渉膜や、熱制御膜、反射膜を適宜追加して成膜することができる。
【０１１９】
したがって、本発明によれば、光透過性基板Ｍの情報Ｂの再生は、本発明の再生方法によって、きわめて良好かつ安定で、また記録情報は不可逆かつ安定に行なうことができることか明らかとなった。
したがって、本発明による記録媒体Ｍ、記録再生方法および装置は、記録媒体の固有の識別情報など安易に書き換えが行なわれないことが望まれる情報の記録にとって、非常に適していることが確認された。
【０１２０】
以上のことから、本発明の記録媒体、記録再生方法、記録再生装置を用いることで、紫外線照射による透過率の変化を利用することにより、光透過性基板１への情報の記録と再生が可能であることを示した。すなわち、記録媒体の光透過性基板の透過率変化を紫外線照射により生じさせることにより情報の記録を行い、一方、この光透過性基板の透過率変化（もしくは反射率変化）を検出することにより情報の再生を行なうことができることが明らかにされた。
【０１２１】
すなわち、上述した〔実施例１〕によって、光透過性基板１の任意の位置に、紫外線照射を行なうことにより、光透過性基板１の光学定数である屈折率と消光係数が変化し、これにより基板の透過率が変化し、情報の記録・再生が可能であることが示された。
また、〔実施例２〕によって、光透過性基板１の任意の位置に、選択的に紫外線照射を行なうことにより、情報の記録を行なうことが可能であることが示しされた。
更に、〔実施例３〕によって、光透過性基板１の任意の位置に、選択的に紫外線照射を行なうことにより、光透過性基板に情報の記録を行い、その情報を本発明の再生装置を用いて、再生を行なうことが可能であることが示された。
次に、紫外線光源を紫外線ランプに変え、紫外線レーザを使用することにより、記録再生が可能であることを示す。
【０１２２】
〔実施例４〕
この例においても、直径１２０ｍｍのポリカーボネートよりなる光透過性基板１を用意した。この基板１の厚さは、この基板１の、透過率変化、もしくは反射率変化を検出できる厚さに選定すれば良いものであるが、この場合、その厚さを０．６ｍｍとした。
光透過性基板１への紫外線レーザ光照射は、図１０で説明した方法によって、光透過性基板１の一主面上に行った。記録した情報のマークの長さは、０．４５ｍｍとした。
この場合、図１で示した光透過性基板１の一主面上には、グルーブ、ピットマーク、蛇行したアドレス読み出し用の案内グルーブによる微細凹凸が形成された構成とし、更に、反射膜、記録層が形成された構成とすることもできる。
【０１２３】
用いた紫外線レーザは、ソニー・プレシジョン・テクノロジー製の遠紫外固体レーザＵＷ−１０２０を使用した。
発光紫外光の波長は、２６６．０ｎｍであり、ビーム径は０．８±０．２ｍｍである。また、照射は大気中で行なった。そして、この場合、紫外線レーザ光を直接光透過性基板１に導き、レーザ出射口のメカニカルシャッターによる照射の有無、および照射時間によって、記録を行なった。
【０１２４】
この紫外線照射により、これらの情報が記録された光透過性基板１は、次に、本発明の再生装置により再生を行なうために、情報の記録された基板の一主面上に、アルミニウムからなる反射膜を１００ｎｍスパッタ装置により成膜した。
その後、このアルミニウム反射膜上に紫外線硬化樹脂を塗布し、紫外線を照射することによりこれを硬化させ、保護膜とした。
また、この場合、反射膜材料としてアルミニウムを使用したが、再生波長で適当な反射率を有する材料、たとえば、アルミニウム合金、銅、白金、銀、金、及びその合金などを使用することができる。
【０１２５】
この情報が記録された記録媒体Ｍを、図２３で説明した本発明による光ピックアップすなわち再生装置によって再生した。再生レーザは、波長が４０５ｎｍのガリウムナイトライド半導体レーザを使用した。また対物レンズは、開口数（ＮＡ）０．６のものを使用した。記録媒体の線速度は３．４６ｍ／ｓとした。
【０１２６】
記録媒体の情報の検出には、ディテクターＲＦ１と、ディテクターＲＦ２とに入ってくる記録媒体Ｍからの反射光量の合計を検出することにより、情報Ｂの再生信号とした。また、再生時の再生パワーは２ｍＷとした。
【０１２７】
図３２は、この記録媒体からの反射光量変化を検出することにより得られた再生信号の測定結果を示す。この場合図３２Ａ中に矢印を付して示すように、また、図３２ＢおよびＣで拡大して示すように、紫外線照射時間により反射光量変化が生じており、紫外線照射による時間、もしくは強度により記録信号を変調することが可能であることが示されている。また、得られた信号は、安定した十分な信号が得られることが確認された。
また、１０万回の再生に対しても、反射光量振幅はまったく変化を示しておらず、記録媒体の情報が、非常に安定で、不可逆な情報であることを確認した。
【０１２８】
また、同様にして、アルミニウムからなる反射膜を、例えばフタロシアニン系色素膜などの色素記録膜、また例えばＣｏＰｔＣｒ系磁性膜などの磁気記録膜、また例えばＴｂＦｅＣｏ系磁性膜などの光磁気記録膜、また例えばＧｅＳｂＴｅ系膜などの相変化記録膜などに変えて、それぞれの成膜装置により情報Ｂが記録された光透過性基板１の一主面に成膜した。そして、同様に再生装置を用いて反射光量の変化を検出し、情報Ｂを再生することができた。
そして、この場合、再生安定性についても１０万回まで全く問題がなく、再生ができた。
尚、上述した記録膜の場合には、記録膜以外に光干渉膜や、熱制御膜、反射膜を適宜追加して成膜することができる。
【０１２９】
また、上述の光磁気記録膜の構成を、例えば中央検出型磁気超解像記録などの磁気超解像記録媒体、例えばＭＡＭＭＯＳや、ＤＷＤＤなどの磁区拡大再生媒体に変えて、それぞれ成膜装置により、情報Ｂが記録され光透過性基板１に成膜した。そして、同様に再生装置を用いて反射光量の変化を検出し、情報Ｂを再生することができた。
そして、この場合、再生安定性についても１０万回まで全く問題がなく、再生ができた。
また、この場合においても、記録膜以外に光干渉膜や、熱制御膜、反射膜を適宜追加して成膜することができる。
【０１３０】
したがって、この紫外線レーザによる照射によれば、光透過性基板１の情報の再生は、非常に良好かつ安定で、また記録情報は不可逆かつ安定に行なうことができる。したがって、記録媒体の固有の識別情報など安易に書き換えが行なわれないことが望まれる情報の記録にとって、非常に適した記録媒体、および記録生成方法である。
【０１３１】
上述した検討から、本発明の記録媒体、記録再生方法、記録再生装置を用いることで、紫外線照射による透過率、もしくは反射率変化を利用することにより、光透過性基板への情報の記録と再生が可能であることを示した。すなわち、記録媒体の光透過性基板の透過率、もしくは反射率変化を紫外線照射により生じさせることにより情報の記録を行い、一方、この光透過性基板の透過率変化、もしくは反射率変化を検出することにより情報の再生を行なうことができることが証明された。
【０１３２】
〔実施例５〕
紫外線照射による情報の記録を、任意の透過率変化量で行なうことにより、情報の多値化記録を行った。
この場合においても、〔実施例１〕等と同様の光透過性基板１を使用した。
紫外線照射しない状態の光透過性基板１と、紫外線照射時間を、５分、１０分、２０分とした各光透過性基板１の透過率の波長依存性を図３３に示す。
図３４は、これに基いて光透過性基板１の透過率と紫外線照射時間との関係を示したもので、これによれば、基板１の透過率は紫外線の照射時間によって変化することがわかる。たとえば、波長３５０ｎｍでは、照射無しで８４％、５分間照射後で６０％、１０分間照射後で５０％、２０分間照射後で４４％にそれぞれ透過率の減少が測定された。
【０１３３】
したがって、光透過性基板１の透過率の変化量は、照射時間によって任意に調整することでき、多値記録されたことが分かる。
【０１３４】
図３５は、光透過性基板１に対し、紫外線を照射する光量、もしくは／かつ、紫外線を照射する時間によって、透過率が変化された情報Ｂの記録部２０ａ、２０ｂ、２０ｃによる多値記録列を形成した場合で、この場合、記録部２０のマーク長で情報を持たせるほかに、記録部の透過率の変化量に情報をもたせることが可能となる。したがって、情報の高密度化が図られる。
この場合、任意の透過率の変化量の調整を紫外線の照射時間により行なったが、もちろん、紫外線の照射強度によっても、同様の透過率の変化量の制御が可能である。
【０１３５】
図３６は、上述した透過率変化による記録部２０ａ、２０ｂ、２０ｃからの検出信号を示し、これらに対応した多値信号９０ａ、９０ｂ、９０ｃが得られる。
【０１３６】
〔実施例６〕
紫外線照射による光透過性基板への情報の記録について、透過率変化の不可逆性と、耐久性を確認した。この場合においても、前述の〔実施例１〕と同様の光透過性基板１を用いた。
図３７は、紫外線照射を１０分間行なった後、大気中、室温で１時間放置した光透過性基板１と、１ヶ月放置した光透過性基板１の透過率の波長依存性の測定結果を示した。
これによれば、光透過性基板１の透過率変化は、紫外線照射直後から長時間放置しても安定で、かつ、不可逆であることが確認された。
【０１３７】
したがって、これによれば、光透過性基板１への情報の記録による、本発明による記録媒体および記録方法は、不可逆かつ安定に行なうことが可能で、記録媒体の固有の識別情報など安易に書き換えが行なわれないことが望まれる情報Ｂの記録にきわめて好適な記録媒体、記録方法であることが分かる。
【０１３８】
〔実施例７〕
次に、紫外線照射による光透過性基板１への情報の記録について、透過率変化の波長依存性を利用して、任意の波長での情報の再生の確認を行った。
この場合においても〔実施例１〕と同じ光透過性基板１を使用した。
図３８に紫外線照射を行っていない光透過性基板１と、１０分間の照射を行った後の光透過性基板１の透過率の波長依存性の測定結果を示す。透過率の変化は、例えば、波長が４００ｎｍでは８８％から７４％で、波長が６６０ｎｍでは紫外線照射の前および後ともに９０％であって変化がない。
したがって、この透過率の波長依存性を利用することにより、例えば、図３９に模式的に示すように、波長が４００ｎｍ程度の青色レーザでは、透過率変化が検出されるため、情報の再生が可能となるが、６６０ｎｍ程度の赤色レーザでは透過率変化が検出されないため、情報Ａの再生を、通常の赤色レーザによって行う記録再生装置とするとき、光透過性基板１に対する情報Ｂは再生が不可能となる記録再生装置を実現できる。
【０１３９】
そして、〔実施例３〕で使用した記録媒体について、異なる再生波長λ1 およびλ2 の２つの再生装置によって、再生を行なった。
この場合、それぞれの再生光学系は、光源波長λ1 ＝６６０ｎｍ、対物レンズの開口数が０．６の場合（再生装置１とする）と、光源波長λ2 ＝４０５ｎｍ、対物レンズの開口数が０．６の場合（再生装置２とする）。
図４０ＡおよびＢは、それぞれの再生装置１および２よって、〔実施例３〕記録媒体Ｍを再生したときの再生信号である。図４０Ａに示すように、レーザ波長が６６０ｎｍの再生装置１による場合、情報Ｂの記録部２０から再生信号を取り出すことができず、これに比し、再生装置２のレーザ波長が４０５ｎｍの再生では良好な記録部２０の再生が可能であった。すなわち、これは本発明の記録媒体の記録情報の透過率変化の波長依存性を利用したものである。
【０１４０】
すなわち、本発明の記録媒体Ｍによれば、再生するレーザの波長により、記録媒体Ｍの光透過性基板１に記録された情報Ｂの再生を選択的に実現できる。具体的には、図４１Ａに示すように、情報Ａの記録部２０に対して青色レーザを用いるときは、透過光量もしくは反射光量がＴ0 からＴ3 に変化する再生波形による信号を得ることかできるが、図４１Ｂに示すように、赤色レーザによって情報Ａの記録領域に対する再生がなされる再生装置１によるときは、情報Ｂの記録部２０に対する再生波形は生じてこない。つまり、青色レーザによらなければ再生不可能な情報Ｂの記録が可能となるのである。
したがって、例えば、記録媒体Ｍの固有識別情報などの情報Ｂを安易に一般の利用者が記録再生できない状態で記録媒体Ｍへの格納が可能となる。
【０１４１】
尚、上述の例では、λ1 が６６０ｎｍ、λ2 が４０５ｎｍの場合であるが、この構成以外においても、本発明の記録媒体、記録再生方法を用いれば、複数の波長での再生により、通常記録されている記録媒体上の情報すなわち情報Ａ以外に、光透過性基板１に透過率変化もしくは、反射率変化として記録されている情報Ｂを選択的に再生することができる。
【０１４２】
また、複数の波長の再生装置としては、例えば図４２に概略構成図を示すように、各波長λ1 およびλ2 ごとに再生光学系Ｒ1 およびＲ2 を設ける構成とすることができる。図４２においては、各再生光学系Ｒ1 およびＲ2 は、それぞれ波長λ1 およびλ2 を発生する光源７１１、７１２と、これに伴う代表的構成光学素子の、コリメータレンズ７２１、７２２ビームスプリッタ７５１、７５２、対物レンズ５１、５２、集光レンズ８４１および８４２、光検出器すなわちフォートディテクタ８６１、８６２を示している。
【０１４３】
図４２で示した例では、独立した２つの再生光学系Ｒ1 およびＲ2 によって構成した場合であるが、図４３に示すようにように一部の光路、すなわち、一部の光学系、図示の例ではビームスプリッタ７５、対物レンズ５を共通にし、光検出器８６において、情報Ａの再生光、すなわちλ1 の波長のみを検出するようにすることもできる。
また、図４４においては、２つの波長λ1 とλ2 とを含む波長の光を発生する光源７２を用いた場合で、図４３と対応する部分には同一符号を付して重複説明を省略する。
【０１４４】
尚、再生光学系を始めとして、記録再生装置は例えば情報ＡおよびＢの情報の種類に応じてより、光学系、検出方法、検出器は任意に変更が可能である。
【０１４５】
〔実施例８〕
この場合、光透過性基板１の構成材料を、ポリオレフィンとした。この場合においても、光透過性基板１は、直径１２０ｍｍ、厚さ０．６ｍｍとし得るも、その厚さは透過率変化、もしくは反射率変化を検出できる任意の厚さとすることができる。
【０１４６】
図４５は、この光透過性基板１に対して１０分間の紫外線照射を行なった基板と、照射をしなかったの基板の透過率の波長依存性の測定結果を示す。
この場合においても、紫外線照射を施すことにより、ポリカーボネート材料と同様に、透過率が減少し、特に５００ｎｍ以下の波長で大きく減少していることが分かる。その減少量は、例えば、波長４００ｎｍでは、紫外線照射前９１％であったものが、紫外線照射によって８４％に、また波長３５０ｎｍでは、照射前９０％であったものが、紫外線照射によって６７％にそれぞれ減少している。
【０１４７】
次に、この紫外線照射による透過率の変化の現象を理解するために、この光透過性基板１の光学定数を、エリプソメトリー分光計で測定した。図４６は紫外線照射前後の屈折率の比較を示し、図４７は紫外線照射前後の消光係数の比較を示したものである。
【０１４８】
図４６と図４７に示すように、ポリカーボネート材料と同様に、紫外線照射によりポリオレフィン材料の、光学定数である屈折率と消光係数自体が変化していることが確認された。
したがって、透過率の変化は、紫外線による樹脂材料内部の化学的変化、変質と考えられ、従来から報告されている紫外線レーザ照射による樹脂材料の蒸発、変形などのいわゆるレーザアブレーションによる物理的な形状変化ではないものであり、この点は注目されるべきものである。
【０１４９】
上述したように、ポリオレフィン材料による光透過性基板１においても、光学的特性変化（透過率変化、もしくは反射率変化）、光学定数の屈折率と消光係数の変化変化を利用することにより、基板への情報Ｂの記録再生が可能であり、上述したポリカーボネートによる光透過性基板１で説明したと同様に、情報Ｂの記録、更に、反射率、或いは光透過過率変化を検出することができるものであり、この場合においても、情報の記録・再生が可能となる。
【０１５０】
そして、これらポリカーボネート、ポリオレフィン以外の、例えば光ディスク等で使用されているポリメチルメタクリレート（ＰＭＭＡ），エポキシ、アクリル、ガラスなどの材料によって光透過性基板１を構成する場合においも、例えば紫外線照射によって、情報Ｂの記録が可能となった。
【０１５１】
また、光透過性基板１に対する情報Ｂの記録、再生について説明を行ったが、、前述した光透過性保護膜２についても、上述した光透過性基板１で実施できる材料は言うまでもなく、これ以外にも、溶液状の材料を、例えば基板１１に成膜し、その後、これを例えば紫外線等で硬化させ、光透過性保護膜２とする構成において、情報Ｂの記録、再生を同様に行うことができる。
すなわち、光透過性保護膜２については、ポリカーボネート、ポリオレフィン、ＰＭＭＡ，エポキシ、アクリル、ガラス、紫外線硬化樹脂、熱硬化樹脂、フォトポリマーの材料による構成として、これに対する情報Ｂの記録、再生を行うことができるものである。
【０１５２】
上述したように、本発明においては、情報Ａの記録領域を有し、この情報Ａの記録および再生を行なう記録媒体であって、記録媒体Ｍの光透過性基板１の透過率変化、もしくは反射率変化の情報を利用することにより、記録媒体Ｍ、もしくは記録情報に固有の識別情報を、情報Ｂとして記録・再生することが可能となり、その結果、複製、模倣、偽造がほとんど不可能な記録媒体、その記録再生方法、およびその記録再生装置が実現できたものである。
【０１５３】
また同様に、情報Ａの記録領域を有し、情報Ａの記録および再生を行なう記録媒体であって、記録媒体の光透過性保護膜２の透過率変化、もしくは反射率変化の情報を利用することにより、記録媒体Ｍ、もしくは記録情報に固有の識別情報を、情報Ｂとして記録・再生することが可能となり、その結果、複製、模倣、偽造がほとんど不可能な記録媒体、その記録再生方法、およびその記録再生装置が実現できたものである。
【０１５４】
尚、上述した各例および実施例においては、主としてディスク媒体についての例示および説明としたが、カードそのほか、各種の形状、構成とすることができることは言うまでもない。
【０１５５】
また、上述した例では、光記録について説明したが、光透過性記録体、光透過性基板、光透過性保護膜への情報記録は電子照射装置を用いて電子照射によって行うこともできる。
【０１５６】
【発明の効果】
上述したように、本発明の記録媒体、記録再生方法、記録再生装置によれば、紫外線照射による透過率の変化もしくは反射率変化を利用することにより、光透過性基板１への情報Ｂの記録再生が可能である。すなわち、記録媒体Ｍの光透過性基板１の透過率変化もしくは反射率変化を紫外線照射により生じさせ（記録）、一方、この光透過性基板１の透過率変化もしくは反射率変化を検出すること（再生）により情報の記録・再生が可能となる。
【０１５７】
また、本発明による記録媒体、記録再生方法、および記録再生装置によれば、選択的に紫外線を照射した光透過性基板１は、基板の透過率変化もしくは反射率変化により、選択的に情報の記録が可能となる。
【０１５８】
本発明の記録媒体、記録再生方法、および記録再生装置によれば、透過率の変化を検出する以外にも、紫外線照射後の基板に、適当な反射率を有する反射膜、たとえば、アルミニウム、銀、金などを製膜することにより、基板からの反射光により、その透過率の変化もしくは反射率変化を反射光量の変化としても検出可能となる。
【０１５９】
本発明の記録媒体、記録再生方法、および記録再生装置を用いれば、光透過性基板の透過率変化量もしくは反射率変化量は、照射時間、もしくは／かつ、照射強度によって任意に調整することが可能で、基板への情報の記録の際に情報を透過率もしくは反射率変化量によって、多値化記録することが可能である。すなわち、従来の光ディスクで使用されている記録マークの長さに情報を持たせるほかに、記録マークの透過率もしくは反射率変化量変化量に情報をもたせることが可能である。また、同時にこれは、記録される記録密度の大幅な向上にきわめて大きく寄与するものである。
【０１６０】
本発明による記録媒体、の記録再生方法、および記録再生装置によれば、光透過性基板への情報の記録は、不可逆かつ安定に行なうことができるので、記録媒体の固有の識別情報など安易に書き換えが行なわれないことが望まれる情報Ｂの記録にきわめて適した記録媒体、記録再生方法、および記録再生装置を実現できるものである。
【０１６１】
本発明による記録媒体、記録再生方法、および記録再生装置によれば、再生する波長により、記録媒体の光透過性基板に記録された情報の再生を選択的に実現できる。具体的には、例えば赤色レーザを使用して情報の記録再生を行なう記録媒体において、本発明の記録媒体の光透過性基板への透過率変化による情報Ｂの記録を行なうことにより、青色レーザによらざれば、この情報Ｂの再生が不可能な情報を記録しておくことが可能となる効果を得ることができるものである。例えば、記録媒体の固有の識別情報などを安易に一般の利用者が記録再生できないようにするために、この情報Ｂを、本発明による記録方法で記録すれば、青色レーザでの再生を行なわない限り、情報の再生ができないように記録媒体上に格納できる。
【０１６２】
そして、本発明による記録媒体、記録再生方法、および記録再生装置によれば、記録媒体のそれぞれに固有の識別情報、例えば記録媒体もしくは記録情報の管理情報、記録・再生の不可情報、記録媒体の真偽の認証情報、記録・再生の回数情報、ユーザの認証情報などを任意に情報Ｂとして付加することが可能となり、その結果、複製、模倣、偽造がほとんど不可能な記録媒体、その記録再生方法、およびその記録再生装置が実現できる。
【０１６３】
更に、本発明による記録媒体、記録再生方法、および記録再生装置によれば、情報ＡおよびＢを、異なる波長による記録、再生とすることによって、例えば記録媒体管理者もしくは、製造者においてのみ、情報Ｂの検出を可能とし、これに基いて、一般利用者には、複製、模倣、偽造をほとんど不可能にすることの実現化を図ることができる。
【０１６４】
また、本発明において、情報Ｂの記録、再生を可能にする光透過性基板、あるいは光透過性保護膜は、通常の記録媒体基板、あるいは保護膜として用いているポリカーボネート、ＰＭＭＡ、エポキシ等によって構成することができることから、特段の材料の選定を必要としない。したがって、廉価に製造することができるものである。
【図面の簡単な説明】
【図１】本発明による記録媒体の一例の概略断面図である。
【図２】本発明による記録媒体の一例の概略断面図である。
【図３】本発明による記録媒体の一例の概略断面図である。
【図４】本発明による記録媒体の一例の概略断面図である。
【図５】本発明による記録媒体の一例の概略断面図である。
【図６】本発明による記録媒体の一例の概略断面図である。
【図７】本発明による記録媒体の一例の概略断面図である。
【図８】本発明による記録媒体の一例の概略斜視図である。
【図９】本発明による記録媒体の一例の概略斜視図である。
【図１０】本発明による一例の情報記録態様の説明図である。
【図１１】本発明による一例の情報記録態様の説明図である。
【図１２】ＡおよびＢは、それぞれ本発明による一例の再生態様と検出反射光量の説明図である。
【図１３】ＡおよびＢは、それぞれ本発明による一例の再生態様と検出反射光量の説明図である。
【図１４】本発明による情報記録装置の一例の構成図である。
【図１５】本発明による情報再生装置の一例の構成図である。
【図１６】本発明による情報再生装置の一例の構成図である。
【図１７】Ａ〜Ｄは、本発明による記録情報とその信号検出の説明図である。
【図１８】本発明による記録媒体における情報Ｂの格納位置の説明図である。
【図１９】紫外線照射前後の透過率の波長依存性を示す図である。
【図２０】紫外線照射前後の屈折率の波長依存性を示す図である。
【図２１】紫外線照射前後の消光係数の波長依存性を示す図である。
【図２２】ＡおよびＢは、選択的紫外線照射の有無による情報の記録状態を示す図である。
【図２３】本発明による再生装置の一例の構成図である。
【図２４】本発明による記録媒体から得られた反射光量の検出による再生信号を示す図である。
【図２５】本発明による記録媒体から得られた反射光量の検出による再生信号を示す図である。
【図２６】本発明による記録媒体から得られた反射光量の検出による再生信号を示す図である。
【図２７】本発明による記録媒体から得られた反射光量の検出による再生信号を示す図である。
【図２８】本発明による記録媒体から得られた反射光量の検出による再生信号を示す図である。
【図２９】反射光量変化の情報Ｂの記録長依存性を示す図である。
【図３０】本発明による記録媒体の再生回数に対する再生信号を示す図である。
【図３１】本発明による記録媒体の反射光量振幅と再生回数を示す図である。
【図３２】Ａ〜Ｃは、本発明による記録媒体の反射光による再生信号を示す図である。
【図３３】紫外線照射時間による透過率の波長依存性を示す図である。
【図３４】透過率の変化量による情報の多値記録の説明図である。
【図３５】透過率の変化量による情報の多値記録状態を示す図である。
【図３６】透過率の変化量による情報の多値記録再生の説明図である。
【図３７】紫外線照射後時間の透過率の波長依存性示す図である。
【図３８】透過率の波長依存性を利用した複数の波長による再生方法の説明図である。
【図３９】透過率の波長依存性を利用した複数の波長による再生方法の説明図である。
【図４０】ＡおよびＢは、透過率の波長依存性を利用した複数の波長による再生方法の説明図である。
【図４１】ＡおよびＢは、透過率の波長依存性を利用した複数の波長による再生方法の説明図である。
【図４２】透過率の波長依存性を利用した複数の波長による再生方法の説明図である。
【図４３】透過率の波長依存性を利用した複数の波長による再生方法の説明図である。
【図４４】透過率の波長依存性を利用した複数の波長による再生方法の説明図である。
【図４５】紫外線照射前後の透過率の波長依存性を示す図である。
【図４６】紫外線照射前後の屈折率の波長依存性を示す図である。
【図４７】紫外線照射前後の消光係数の波長依存性を示す図である。
【符号の説明】
１・・・光透過性基板、２・・・光透過性保護膜、３・・・記録領域、４・・・反射膜、５・・・対物レンズ、６・・・材料層、１１・・・基板、２０・・・記録部、２１・・・磁気ヘッド、２２・・・フォトマスク、２３・・・透過パターン、３０・・・モータ、３１・・・光ピックアップ、３２・・・中央制御回路、３３・・・入力装置、３４・・・暗号化回路、３５・・・符号化回路、３６・・・モータ駆動回路、３７・・・レーザ駆動回路、３８・・・光量モニタ、３９・・・フォーカス・トラッキングモニタ、４０・・・情報検出回路、４１・・・復号化回路、４２・・・暗号解読化回路、４３・・・出力信号、４４・・・情報検出回路、４５・・・情報切り替え回路、５０・・・情報Ａの記録範囲、５１・・・内周領域、５２・・・外周領域、７１・・・光源、７２・・・コリメータレンズ、７３・・・アナモルフィックプリズム、７４・・・グレーティング、７５７８，８３・・・ビームスプリッタ、７６，８０，８２・・・１／２波長板、７７・・・フロントモニタディテクタ、７８・・・ビームスプリッタ、７９，８１・・・１／４波長板、８４，８５，８７・・・マルチレンズ、８６・・・コンデンスレンズ、８８・・・フォトディテクタ、１００・・・光透過性記録体、ＲＦ1 ，ＲＦ2 ディテクタ、Ｍ・・・記録媒体
【図１】
0004284836.tif 000002
【図２】
0004284836.tif 000003
【図３】
0004284836.tif 000004
【図４】
0004284836.tif 000005
【図５】
0004284836.tif 000006
【図６】
0004284836.tif 000007
【図７】
0004284836.tif 000008
【図８】
0004284836.tif 000009
【図９】
0004284836.tif 000010
【図１０】
0004284836.tif 000011
【図１１】
0004284836.tif 000012
【図１２】
0004284836.tif 000013
【図１３】
0004284836.tif 000014
【図１４】
0004284836.tif 000015
【図１５】
0004284836.tif 000016
【図１６】
0004284836.tif 000017
【図１７】
0004284836.tif 000018
【図１８】
0004284836.tif 000019
【図１９】
0004284836.tif 000020
【図２０】
0004284836.tif 000021
【図２１】
0004284836.tif 000022
【図２２】
0004284836.tif 000023
【図２３】
0004284836.tif 000024
【図２４】
0004284836.tif 000025
【図２５】
0004284836.tif 000026
【図２６】
0004284836.tif 000027
【図２７】
0004284836.tif 000028
【図２８】
0004284836.tif 000029
【図２９】
0004284836.tif 000030
【図３０】
0004284836.tif 000031
【図３１】
0004284836.tif 000032
【図３２】
0004284836.tif 000033
【図３３】
0004284836.tif 000034
【図３４】
0004284836.tif 000035
【図３５】
0004284836.tif 000036
【図３６】
0004284836.tif 000037
【図３７】
0004284836.tif 000038
【図３８】
0004284836.tif 000039
【図３９】
0004284836.tif 000040
【図４０】
0004284836.tif 000041
【図４１】
0004284836.tif 000042
【図４２】
0004284836.tif 000043
【図４３】
0004284836.tif 000044
【図４４】
0004284836.tif 000045
【図４５】
0004284836.tif 000046
【図４６】
0004284836.tif 000047
【図４７】
0004284836.tif 000048